(57)【要約】【課題】ユーザ識別情報に対応する設定情報を抽出してドメイン内の少なくとも一つのデバイスを制御するサーバ、モバイル装置及びそのアクセス方法 を提供すること。【解決手段】第１ドメインに対応する第１認証情報および第２ドメインに対応する第２認証情報を格納するモバイル情報によって行われる汎用アクセス（ｕｎｉｖｅｒｓａｌ  ａｃｃｅｓｓ）方法は、ＮＦＣ（ｎｅａｒ  ｆｉｅｌｄ  ｃｏｍｍｕｎｉｃａｔｉｏｎ）を通じて前記モバイル装置から認証情報を要請するセキュリティアクセスポイントから信号を受信するステップと、前記セキュリティアクセスポイントに対応する前記第１認証情報および前記第２認証情報のいずれか一方を選択するステップと、前記選択された認証情報をＮＦＣを通じて前記セキュリティアクセスポイントに伝送するステップとを含む。【選択図】図４
2013218698.tif 000002
【特許請求の範囲】
【請求項１】
第１ドメインに対応する第１認証情報および第２ドメインに対応する第２認証情報を格納するモバイル情報によって行われる汎用アクセス（ｕｎｉｖｅｒｓａｌ  ａｃｃｅｓｓ）方法において、
ＮＦＣ（ｎｅａｒ  ｆｉｅｌｄ  ｃｏｍｍｕｎｉｃａｔｉｏｎ）を通じて前記モバイル装置から認証情報を要請するセキュリティアクセスポイントから信号を受信するステップと、
前記セキュリティアクセスポイントに対応する前記第１認証情報および前記第２認証情報のいずれか一方を選択するステップと、
前記選択された認証情報をＮＦＣを通じて前記セキュリティアクセスポイントに伝送するステップと
を含む方法。
【請求項２】
前記セキュリティアクセスポイントは、第１複数の被制御機器を含む第１ドメインに関連する第１セキュリティアクセスポイントおよび第２複数の被制御機器を含む第２ドメインに関連する第２セキュリティアクセスポイントのいずれか一方を含み、
前記選択するステップは、
前記アクセスポインタが前記第１ドメインに関連する第１セキュリティアクセスポイントまたは前記第２ドメインに関連する第２セキュリティアクセスポイントに対応するか否かを判断するステップと、
前記セキュリティアクセスポイントが前記第１ドメインに関連する第１セキュリティアクセスポイントに対応すると判断されると、前記第１セキュリティ情報を選択するステップと、
前記セキュリティアクセスポイントが前記第２ドメインに関連する第２セキュリティアクセスポイントに対応すると判断されると、前記第２セキュリティ情報を選択するステップと
を含むことを特徴とする請求項１に記載の方法。
【請求項３】
前記セキュリティアクセスポイントが前記第１ドメインに関連する第１セキュリティアクセスポイントに対応すると、前記第１複数の被制御機器の中から第１機器設定情報を選択するステップと、
前記セキュリティアクセスポイントが前記第２ドメインに関連する第２セキュリティアクセスポイントに対応すると、前記第２複数の被制御機器の中から第２機器設定情報を選択するステップと、
前記セキュリティアクセスポイントが前記第１ドメインに関連する第１セキュリティアクセスポイントに対応すると、前記第１機器設定情報に基づいて前記第１複数の被制御機器を制御し、前記セキュリティアクセスポイントが前記第２ドメインに関連する第２セキュリティアクセスポイントに対応すると、前記第２機器設定情報に基づいて前記第２複数の被制御機器を制御するためのＧＵＩ（ｇｒａｐｈｉｃａｌ  ｕｓｅｒ  ｉｎｔｅｒｆａｃｅ）をディスプレイするステップと
を更に含むことを特徴とする請求項２に記載の方法。
【請求項４】
前記第１機器設定情報は、前記第１複数の被制御機器の第１動作設定構成を含み、前記第２機器設定情報は、前記第２複数の被制御機器の第２動作設定構成を含むことを特徴とする請求項３に記載の方法。
【請求項５】
前記セキュリティアクセスポイントが前記第１ドメインに関連する第１セキュリティアクセスポイントに対応すると、前記第１複数の被制御機器を制御するステップと、
前記セキュリティアクセスポイントが前記第２ドメインに関連する第２セキュリティアクセスポイントに対応すると、前記第２複数の被制御機器を制御するステップと
を更に含むことを特徴とする請求項４に記載の方法。
【請求項６】
前記セキュリティアクセスポイントが前記第１ドメインに関連する第１セキュリティアクセスポイントに対応すると、前記第１複数の被制御機器の動作設定の更新された構成の更新された第１機器設定情報を受信するステップと、
前記セキュリティアクセスポイントが前記第２ドメインに関連する第２セキュリティアクセスポイントに対応すると、前記第２複数の被制御機器の動作設定の更新された構成の更新された第２機器設定情報を受信するステップと、
前記セキュリティアクセスポイントが前記第１ドメインに関連する第１セキュリティアクセスポイントに対応すると、第１機器設定情報を更新するステップと、
前記セキュリティアクセスポイントが前記第２ドメインに関連する第２セキュリティアクセスポイントに対応すると、第２機器設定情報を更新するステップと
を更に含むことを特徴とする請求項５に記載の方法。
【請求項７】
前記第１認証情報は、前記第１ドメインに関連する第１セキュリティキーを含み、
前記第２認証情報は、前記第２ドメインに関連する第２セキュリティキーを含むことを特徴とする請求項２に記載の方法。
【請求項８】
前記第１認証情報は、前記第１ドメインに関連する第１ユーザＩＤ（ｉｄｅｎｔｉｆｉｃａｔｉｏｎ）を更に含み、
前記第２認証情報は、前記第２ドメインに関連する第２ユーザＩＤ（ｉｄｅｎｔｉｆｉｃａｔｉｏｎ）を更に含むことを特徴とする請求項７に記載の方法。
【請求項９】
前記第１ドメインは、第１位置に位置し、前記第２ドメインは、第２位置に位置することを特徴とする請求項８に記載の方法。
【請求項１０】
前記第１ドメインは、前記第１複数の被制御機器を含む第１ネットワークであり、前記第２ドメインは、前記第２複数の被制御機器を含む第２ネットワークであることを特徴とする請求項８に記載の方法。
【請求項１１】
モバイル装置において、
第１ドメインに対応する第１認証情報および第２ドメインに対応する第２認証情報を保存するメモリ、
ＮＦＣ（ｎｅａｒ  ｆｉｅｌｄ  ｃｏｍｍｕｎｉｃａｔｉｏｎ）を通じて前記モバイル装置から認証情報を要請するセキュリティアクセスポイントから信号を受信する通信部と、
前記セキュリティアクセスポイントに対応する前記第１認証情報および前記第２認証情報のいずれか一方を選択し、前記選択された認証情報をＮＦＣを通じて前記セキュリティアクセスポイントに伝送するように前記通信部を制御するプロセッサと
を含むモバイル装置。
【請求項１２】
前記セキュリティアクセスポイントは、第１複数の被制御機器を含む第１ドメインに関連する第１セキュリティアクセスポイントおよび第２複数の被制御機器を含む第２ドメインに関連する第２セキュリティアクセスポイントのいずれか一方を含み、
前記プロセッサは、
前記アクセスポインタが前記第１ドメインに関連する第１セキュリティアクセスポイントまたは前記第２ドメインに関連する第２セキュリティアクセスポイントに対応するか否かを判断し、前記セキュリティアクセスポイントに対応する第１認証情報および前記第２認証情報のいずれか一方を選択し、前記セキュリティアクセスポイントが前記第１ドメインに関連する第１セキュリティアクセスポイントに対応すると判断されると、前記第１セキュリティ情報を選択し、前記セキュリティアクセスポイントが前記第２ドメインに関連する第２セキュリティアクセスポイントに対応すると判断されると、前記第２セキュリティ情報を選択することを特徴とする請求項１１に記載のモバイル装置。
【請求項１３】
ディスプレイ部を更に含み、
前記プロセッサは、
前記セキュリティアクセスポイントが前記第１ドメインに関連する第１セキュリティアクセスポイントに対応すると、前記第１複数の被制御機器の中から第１機器設定情報を選択し、
前記セキュリティアクセスポイントが前記第２ドメインに関連する第２セキュリティアクセスポイントに対応すると、前記第２複数の被制御機器の中から第２機器設定情報を選択し、
前記セキュリティアクセスポイントが前記第１ドメインに関連する第１セキュリティアクセスポイントに対応すると、前記第１機器設定情報に基づいて前記第１複数の被制御機器を制御し、前記セキュリティアクセスポイントが前記第２ドメインに関連する第２セキュリティアクセスポイントに対応すると、前記第２機器設定情報に基づいて前記第２複数の被制御機器を制御するためのＧＵＩ（ｇｒａｐｈｉｃａｌ  ｕｓｅｒ  ｉｎｔｅｒｆａｃｅ）をディスプレイするように前記ディスプレイ部を制御することを特徴とする請求項１２に記載のモバイル装置。
【請求項１４】
前記第１機器設定情報は、前記第１複数の被制御機器の第１動作設定構成を含み、前記第２機器設定情報は、前記第２複数の被制御機器の第２動作設定構成を含むことを特徴とする請求項１３に記載のモバイル装置。
【請求項１５】
サーバにおいて、
（ｉ）第１ドメインに関連する第１認証情報および前記第１ドメインで第１被制御機器の第１機器設定情報と、（ｉｉ）第２ドメインに関連する第２認証情報および前記第２ドメインで第２被制御機器の第２機器設定情報を保存するメモリと、
モバイル装置から認証データを含む認証要請を受信する通信部と、
前記受信された認証データを前記第１認証情報および前記第２認証情報と比較し、前記認証要請に対応する応答としてユーザ認証を行い、前記モバイル装置が、前記認証データが前記第１認証情報に対応すると、前記第１機器設定情報に基づいて前記第１被制御機器を制御し、前記認証データが前記第２認証情報に対応すると、前記第２機器設定情報に基づいて前記第２被制御機器を制御できるように、前記モバイル装置に認証結果を伝送する制御部と
を含むサーバ。
【発明の詳細な説明】
【技術分野】
【０００１】
デバイスを制御するサーバ、モバイル装置及びそのアクセス方法に関し、さらに詳細には、デバイスに対する設定情報を利用してデバイスを制御するデバイスを制御するサーバ、モバイル装置及びそのアクセス方法に関する。
【背景技術】
【０００２】
通信技術の発展に伴い、ホーム、自動車、または事務室などのすべてのデバイスが一つのネットワークで接続されている。
【０００３】
例えば、家庭内ＰＣをはじめとする情報家電機器を有線または無線のネットワークで接続され、インターネットアクセシング及びデータ共有およびスキャナおよびプリンタなどの周辺機器の相互制御を行うことができる。ホームネットワークは、インターネットまたは携帯用の情報端末を通じて外部ネットワークにリンクされ、テレビや冷蔵庫、エアコン、ＤＶＤプレーヤ、デジタルカメラ等の他の機器の遠隔制御を行うことができる。
【０００４】
最近、デジタル技術発展とインターネット普及の拡大によってホーム、自動車または事務室などのデバイスがネットワークで接続されているため、各々のネットワークシステムに含まれたデバイスに対する環境設定を簡単に行うことができる方案が求められる。
【先行技術文献】
【特許文献】
【０００５】
【特許文献１】大韓民国特許公開第０８４１９５３号
【特許文献２】米国特許公開第２０１００１６０７４４号
【発明の概要】
【発明が解決しようとする課題】
【０００６】
本発明は、上述した問題点を解決するためになされたものであって、本発明の目的は、ユーザ識別情報に対応する設定情報を抽出してドメイン内の少なくとも一つのデバイスを制御するデバイスを制御するサーバ、モバイル装置及びそのアクセス方法を提供することにある。
【課題を解決するための手段】
【０００７】
前記目的を達成するための本発明の一実施形態に係る第１ドメインに対応する第１認証情報および第２ドメインに対応する第２認証情報を格納するモバイル情報によって行われる汎用アクセス（ｕｎｉｖｅｒｓａｌ  ａｃｃｅｓｓ）方法は、ＮＦＣ（ｎｅａｒ  ｆｉｅｌｄ  ｃｏｍｍｕｎｉｃａｔｉｏｎ）を通じて前記モバイル装置から認証情報を要請するセキュリティアクセスポイントから信号を受信するステップと、前記セキュリティアクセスポイントに対応する前記第１認証情報および前記第２認証情報のいずれか一方を選択するステップと、前記選択された認証情報をＮＦＣを通じて前記セキュリティアクセスポイントに伝送するステップとを含む。
【０００８】
なお、前記セキュリティアクセスポイントは、第１複数の被制御機器を含む第１ドメインに関連する第１セキュリティアクセスポイントおよび第２複数の被制御機器を含む第２ドメインに関連する第２セキュリティアクセスポイントのいずれか一方を含み、前記選択するステップは、前記アクセスポインタが前記第１ドメインに関連する第１セキュリティアクセスポイントまたは前記第２ドメインに関連する第２セキュリティアクセスポイントに対応するか否かを判断するステップと、前記セキュリティアクセスポイントが前記第１ドメインに関連する第１セキュリティアクセスポイントに対応すると判断されると、前記第１セキュリティ情報を選択するステップと、、前記セキュリティアクセスポイントが前記第２ドメインに関連する第２セキュリティアクセスポイントに対応すると判断されると、前記第２セキュリティ情報を選択するステップとを含む。
【０００９】
なお、前記セキュリティアクセスポイントが前記第１ドメインに関連する第１セキュリティアクセスポイントに対応すると、前記第１複数の被制御機器の中から第１機器設定情報を選択するステップと、前記セキュリティアクセスポイントが前記第２ドメインに関連する第２セキュリティアクセスポイントに対応すると、前記第２複数の被制御機器の中から第２機器設定情報を選択するステップと、前記セキュリティアクセスポイントが前記第１ドメインに関連する第１セキュリティアクセスポイントに対応すると、前記第１機器設定情報に基づいて前記第１複数の被制御機器を制御し、前記セキュリティアクセスポイントが前記第２ドメインに関連する第２セキュリティアクセスポイントに対応すると、前記第２機器設定情報に基づいて前記第２複数の被制御機器を制御するためのＧＵＩ（ｇｒａｐｈｉｃａｌ  ｕｓｅｒ  ｉｎｔｅｒｆａｃｅ）をディスプレイするステップとを含んでよい。
【００１０】
なお、前記第１機器設定情報は、前記第１複数の被制御機器の第１動作設定構成を含み、前記第２機器設定情報は、前記第２複数の被制御機器の第２動作設定構成を含んでよい。
【００１１】
なお、前記セキュリティアクセスポイントが前記第１ドメインに関連する第１セキュリティアクセスポイントに対応すると、前記第１複数の被制御機器を制御するステップと、前記セキュリティアクセスポイントが前記第２ドメインに関連する第２セキュリティアクセスポイントに対応すると、前記第２複数の被制御機器を制御するステップとを含んでよい。
【００１２】
なお、前記セキュリティアクセスポイントが前記第１ドメインに関連する第１セキュリティアクセスポイントに対応すると、前記第１複数の被制御機器の動作設定の更新された構成の更新された第１機器設定情報を受信するステップと、前記セキュリティアクセスポイントが前記第２ドメインに関連する第２セキュリティアクセスポイントに対応すると、前記第２複数の被制御機器の動作設定の更新された構成の更新された第２機器設定情報を受信するステップと、前記セキュリティアクセスポイントが前記第１ドメインに関連する第１セキュリティアクセスポイントに対応すると、第１機器設定情報を更新するステップと、前記セキュリティアクセスポイントが前記第２ドメインに関連する第２セキュリティアクセスポイントに対応すると、第２機器設定情報を更新するステップとを含んでよい。
【００１３】
なお、前記第１認証情報は、前記第１ドメインに関連する第１セキュリティキーを含み、前記第２認証情報は、前記第２ドメインに関連する第２セキュリティキーを含んでよい。
【００１４】
なお、前記第１認証情報は、前記第１ドメインに関連する第１ユーザＩＤ（ｉｄｅｎｔｉｆｉｃａｔｉｏｎ）を更に含み、前記第２認証情報は、前記第２ドメインに関連する第２ユーザＩＤ（ｉｄｅｎｔｉｆｉｃａｔｉｏｎ）を更に含んでよい。
【００１５】
なお、前記第１ドメインは、第１位置に位置し、前記第２ドメインは、第２位置に位置してよい。
【００１６】
なお、前記第１ドメインは、前記第１複数の被制御機器を含む第１ネットワークであり、前記第２ドメインは、前記第２複数の被制御機器を含む第２ネットワークであってよい。
【００１７】
一方、本発明の一実施形態に係るモバイル装置は、第１ドメインに対応する第１認証情報および第２ドメインに対応する第２認証情報を保存するメモリ、ＮＦＣ（ｎｅａｒ  ｆｉｅｌｄ  ｃｏｍｍｕｎｉｃａｔｉｏｎ）を通じて前記モバイル装置から認証情報を要請するセキュリティアクセスポイントから信号を受信する通信部と、前記セキュリティアクセスポイントに対応する前記第１認証情報および前記第２認証情報のいずれか一方を選択し、前記選択された認証情報をＮＦＣを通じて前記セキュリティアクセスポイントに伝送するように前記通信部を制御するプロセッサとを含む。
【００１８】
なお、前記セキュリティアクセスポイントは、第１複数の被制御機器を含む第１ドメインに関連する第１セキュリティアクセスポイントおよび第２複数の被制御機器を含む第２ドメインに関連する第２セキュリティアクセスポイントのいずれか一方を含み、前記プロセッサは、前記アクセスポインタが前記第１ドメインに関連する第１セキュリティアクセスポイントまたは前記第２ドメインに関連する第２セキュリティアクセスポイントに対応するか否かを判断し、前記セキュリティアクセスポイントに対応する第１認証情報および前記第２認証情報のいずれか一方を選択し、前記セキュリティアクセスポイントが前記第１ドメインに関連する第１セキュリティアクセスポイントに対応すると判断されると、前記第１セキュリティ情報を選択し、前記セキュリティアクセスポイントが前記第２ドメインに関連する第２セキュリティアクセスポイントに対応すると判断されると、前記第２セキュリティ情報を選択してよい。
【００１９】
なお、ディスプレイ部を更に含み、前記プロセッサは、前記セキュリティアクセスポイントが前記第１ドメインに関連する第１セキュリティアクセスポイントに対応すると、前記第１複数の被制御機器の中から第１機器設定情報を選択し、前記セキュリティアクセスポイントが前記第２ドメインに関連する第２セキュリティアクセスポイントに対応すると、前記第２複数の被制御機器の中から第２機器設定情報を選択し、前記セキュリティアクセスポイントが前記第１ドメインに関連する第１セキュリティアクセスポイントに対応すると、前記第１機器設定情報に基づいて前記第１複数の被制御機器を制御し、前記セキュリティアクセスポイントが前記第２ドメインに関連する第２セキュリティアクセスポイントに対応すると、前記第２機器設定情報に基づいて前記第２複数の被制御機器を制御するためのＧＵＩ（ｇｒａｐｈｉｃａｌ  ｕｓｅｒ  ｉｎｔｅｒｆａｃｅ）をディスプレイするように前記ディスプレイ部を制御してよい。
【００２０】
なお、前記第１機器設定情報は、前記第１複数の被制御機器の第１動作設定構成を含み、前記第２機器設定情報は、前記第２複数の被制御機器の第２動作設定構成を含んでよい。
【００２１】
なお、本発明の一実施形態に係るサーバは、（ｉ）第１ドメインに関連する第１認証情報および前記第１ドメインで第１被制御機器の第１機器設定情報と、（ｉｉ）第２ドメインに関連する第２認証情報および前記第２ドメインで第２被制御機器の第２機器設定情報を保存するメモリ、モバイル装置から認証データを含む認証要請を受信する通信部と、前記受信された認証データを前記第１認証情報および前記第２認証情報と比較し、前記認証要請に対応する応答としてユーザ認証を行い、前記モバイル装置が、前記認証データが前記第１認証情報に対応すると、前記第１機器設定情報に基づいて前記第１被制御機器を制御し、前記認証データが前記第２認証情報に対応すると、前記第２機器設定情報に基づいて前記第２被制御機器を制御できるように、前記モバイル装置に認証結果を伝送する制御部とを含む。
【発明の効果】
【００２２】
上述したように、本発明の多様な実施形態によれば、ユーザの便宜性が向上する。
【図面の簡単な説明】
【００２３】
【図１】本発明の一実施形態にかかる管理システムを示す図である。
【図２】本発明の他の実施形態にかかる管理システムを示す図である。
【図３】本発明の一実施形態にかかる管理サーバを示すブロック図である。
【図４】本発明の一実施形態にかかるユーザ端末装置を示すブロック図である。
【図５】管理サーバが設定情報を格納し、格納された設定情報を利用して少なくとも一つのデバイスを制御する方法を説明するタイミング図である。
【図６】管理サーバが設定情報を格納し、格納された設定情報を利用して少なくとも一つのデバイスを制御する方法を説明するタイミング図である。
【図７】管理サーバが設定情報を格納し、格納された設定情報を利用して少なくとも一つのデバイスを制御する方法を説明するタイミング図である。
【図８】ユーザ端末装置が設定情報を格納し、格納された設定情報を利用して少なくとも一つのデバイスを制御する方法を説明するタイミング図である。
【図９】ユーザ端末装置が設定情報を格納し、格納された設定情報を利用して少なくとも一つのデバイスを制御する方法を説明するタイミング図である。
【図１０】ユーザ端末装置が設定情報を格納し、格納された設定情報を利用して少なくとも一つのデバイスを制御する方法を説明するタイミング図である。
【図１１】ロック装置が設定情報を格納し、ロック装置が格納された設定情報を利用して少なくとも一つのデバイスを制御する方法を説明するタイミング図である。
【図１２】少なくとも一つのデバイス３０２が設定情報を格納し、格納された設定情報を利用して少なくとも一つのデバイスが動作する方法を説明するタイミング図である。
【図１３】少なくとも一つのデバイス３０２が設定情報を格納し、格納された設定情報を利用して少なくとも一つのデバイスが動作する方法を説明するタイミング図である。
【図１４】少なくとも一つのデバイス３０２が設定情報を格納し、格納された設定情報を利用して少なくとも一つのデバイスが動作する方法を説明するタイミング図である。
【図１５】クラウドサーバを利用して少なくとも一つのデバイスを制御する方法を説明するタイミング図である。
【図１６】設定情報と関連したＵＲＬ情報を利用して外部サーバに接続した少なくとも一つのデバイスを制御する方法を説明するタイミング図である。
【図１７】少なくとも一つのデバイスの使用に応じて更新された設定情報を管理サーバに格納する方法を説明するタイミング図である。
【図１８】少なくとも一つのデバイスの使用に応じて更新された設定情報を管理サーバに格納する方法を説明するタイミング図である。
【図１９】少なくとも一つのデバイスの使用に応じて更新された設定情報を管理サーバに格納する方法を説明するタイミング図である。
【図２０】少なくとも一つのデバイスの使用に応じて更新された設定情報を多様な装置に格納する方法を説明するタイミング図である。
【図２１】少なくとも一つのデバイスの使用に応じて更新された設定情報を多様な装置に格納する方法を説明するタイミング図である。
【図２２】少なくとも一つのデバイスの使用に応じて更新された設定情報を多様な装置に格納する方法を説明するタイミング図である。
【図２３】本発明の一実施形態にかかるホームドメイン管理システムの制御方法を示す図である。
【図２４】本発明の一実施形態にかかるホームドメイン管理システムの制御方法を示す図である。
【図２５】本発明の一実施形態にかかるホームドメイン管理システムの制御方法を示す図である。
【図２６】本発明の一実施形態にかかる自動車ドメイン管理システムを示す図である。
【図２７】本発明の一実施形態にかかる自動車ドメイン管理システムを示す図である。
【図２８】本発明の一実施形態にかかる自動車ドメイン管理システムを示す図である。
【図２９】本発明の一実施形態にかかる注文方法を示す図である。
【図３０】本発明の他の実施形態にかかるユーザ端末装置を示すブロック図である。
【図３１】本発明の他の実施形態にかかるユーザ端末装置の制御方法を説明するためのＵＩ図である。
【図３２】本発明の他の実施形態にかかるユーザ端末装置の制御方法を説明するためのＵＩ図である。
【図３３】本発明の他の実施形態にかかるユーザ端末装置の制御方法を説明するためのＵＩ図である。
【図３４】本発明の他の実施形態にかかるユーザ端末装置の制御方法を説明するためのＵＩ図である。
【図３５】本発明の他の実施形態にかかるユーザ端末装置の制御方法を説明するためのＵＩ図である。
【図３６】本発明の他の実施形態にかかるユーザ端末装置の制御方法を説明するためのＵＩ図である。
【図３７】本発明の他の実施形態にかかるユーザ端末装置の制御方法を説明するためのＵＩ図である。
【図３８】本発明の他の実施形態にかかるユーザ端末装置の制御方法を説明するためのＵＩ図である。
【図３９】本発明の他の実施形態にかかるユーザ端末装置の制御方法を説明するためのＵＩ図である。
【図４０】本発明の他の実施形態にかかるユーザ端末装置の制御方法を説明するためのＵＩ図である。
【図４１】本発明の他の実施形態にかかるユーザ端末装置の制御方法を説明するためのＵＩ図である。
【図４２】本発明の他の実施形態にかかるユーザ端末装置の制御方法を説明するためのＵＩ図である。
【図４３】本発明の他の実施形態にかかるユーザ端末装置の制御方法を説明するためのＵＩ図である。
【図４４】本発明の他の実施形態にかかるユーザ端末装置の制御方法を説明するためのＵＩ図である。
【図４５】本発明の他の実施形態にかかるユーザ端末装置の制御方法を説明するためのＵＩ図である。
【図４６】本発明の他の実施形態にかかるユーザ端末装置の制御方法を説明するためのＵＩ図である。
【図４７】本発明の他の実施形態にかかるユーザ端末装置の制御方法を説明するためのＵＩ図である。
【図４８】本発明の一実施形態にかかるゲーム環境設定システムを示す図である。
【図４９】本発明の一実施形態にかかるゲーム環境設定システムにおいて用いられるユーザ端末装置を示すブロック図である。
【図５０】本発明の一実施形態にかかるゲーム環境情報設定方法を示すタイミング図である。
【図５１】本発明の一実施形態にかかるゲーム環境情報設定方法を示すタイミング図である。
【図５２】本発明の一実施形態にかかる自動車ドメイン管理システムの動作を示すタイミング図である。
【図５３】本発明の一実施形態にかかるＮＤＥＦ（NFC Data Exchange Format）を示す図である。
【発明を実施するための形態】
【００２４】
以下、添付された図面を参照して具体的に説明する。
【００２５】
図１は、本発明の一実施形態にかかる管理システムを示す図である。図１に示すように、管理システム１０００は、管理サーバ１００、ユーザ端末装置２００、少なくとも一つのデバイス３００−２、３００−３、３００−４．．．３００−ｎ、ロック装置３００−１の全てまたは一部を備える。
【００２６】
ここで、少なくとも一つのデバイス３００−２、３００−３、３００−４．．．３００−ｎは、少なくとも一つのデバイス３００−２、３００−３、３００−４．．．３００−ｎが位置したドメインによって変わることができる。例えば、ドメインがホームドメイン１０２０である場合、少なくとも一つのデバイス３００−２、３００−３、３００−４．．．３００−ｎは、ＴＶ、洗濯機、クーラー、端末装置（例えば、スマートフォン、タブレットコンピュータ、ノートブックコンピュータ、ＰＤＡ（Personal Digital Assistants）、ＰＭＰ（Portable Multimedia Player）、デスクトップコンピュータ等）冷蔵庫、ロボット掃除機、照明などのようにホーム内で使用されるデバイスでありうる。また、ドメインが自動車ドメイン１０４０である場合、少なくとも一つのデバイス３００−２、３００−３、３００−４．．．３００−ｎは、ハンドル、椅子、ナビゲーション、オーディオ、クーラーなどのように自動車内で使用されるすべてのデバイスでありうる。また、ドメインが会社ドメイン１０６０である場合、少なくとも一つのデバイス３００−２、３００−３、３００−４．．．３００−ｎは、ＴＶ、クーラー、端末装置（例えば、スマートフォン、タブレットコンピュータ、ノートブックコンピュータ、ＰＤＡ（Personal Digital Assistants）、ＰＭＰ（Portable Multimedia Player）、デスクトップコンピュータ等）、冷蔵庫、照明、プロジェクターなどのように会社内で使用されるすべてのデバイスでありうる。
【００２７】
また、ここで、近距離アクセスは、第１機器が近距離無線通信を行うことができる第２機器と所定距離内でアクセスするのを意味する。ここで、近距離アクセスは、近距離無線通信リーダを備えた第１または第２機器と近距離無線通信タグを備えた第１または第２機器とのＮＦＣ（Near Field Communication）通信方式を利用した近距離アクセスでありうる。
【００２８】
また、ここで、ロック装置３００−１は、ホームドメイン１０２０、自動車ドメイン１０４０、会社ドメイン１０６０の出入口に配置され、ドメインに出入を許可又は統制する装置でありうる。この場合、ロック装置３００−１は、ユーザ端末装置２００との近距離アクセスを介して受信された権限情報を利用して、ロックを解除または設定できる。このようなロック装置３００−１は、出入口に備えられたドアロック（Door Lock）により具現化されることができ、ドアロックは、近距離無線通信モジュール（例えば、ＮＦＣモジュール）を具備できる。また、ロック装置３００−１は、上述した実施形態に限定されるものではなく、場合によっては、ホームドメイン１０２０、自動車ドメイン１０４０、会社ドメイン１０６０の出入口または内部に配置され、ロック機能を支援するソフトウェアを具備してロックＵＩ画面を提供する端末装置（例えば、スマートフォン、タブレットコンピュータ、ノートブックコンピュータ、ＰＤＡ（Personal Digital Assistants）、ＰＭＰ（Portable Multimedia Player）、デスクトップコンピュータなど）により具現化されることができる。この場合、ロック装置３００−１は、ユーザ端末装置２００との近距離アクセスを介してまたはロックＵＩ画面に対するユーザ入力によって受信された権限情報（例えば、パスワード及び／またはユーザＩＤ）を利用してロックを解除したり、またはロックを設定できる。
【００２９】
一方、図１では、ロック装置３００−１が別の装置により具現化された場合を説明したが、ロック装置３００−１は、管理サーバ２００内に備えられることができる。この場合、ロック装置３００−１は、後述する管理サーバ２００の役割を果たすことができる。
【００３０】
管理サーバ１００は、ドメイン１０２０、１０４０、１０６０内の少なくとも一つのデバイス３００−２、３００−３、３００−４．．．３００−ｎを制御する。具体的に権限情報を有したユーザ端末装置２００とロック装置３００−１の近距離アクセスによってロック装置３００−１のロック状態が解除されると、管理サーバ１００は、ロック装置３００−１からユーザ端末装置２００に格納されたユーザ識別情報または設定情報を受信することができる。すなわち、、ユーザ端末装置２００の格納部２２０は、各々のドメインに対応するユーザ情報を格納することができる。ここで、ユーザ情報は、権限情報、ユーザ識別情報及び設定情報のうち、少なくとも一つを含むことができる。制御部２３０内のユーザ情報管理部２３１は、各々のドメインに対応するユーザ情報を格納部２２０から検出できる。これにより、ユーザ端末装置２００は、各々のドメインに対応するユーザ情報をロック装置３００−１に送信できる。ロック装置３００−１は、受信されたユーザ情報のうち、権限情報を利用してロック状態を解除又は設定でき、ユーザ端末装置２００から受信されたユーザ情報のうち、ユーザ識別情報または設定情報を管理サーバ１００に送信できる。
【００３１】
一方、管理サーバ１００は、ユーザ識別情報が受信されると、受信されたユーザ識別情報に対応する設定情報を抽出できる。そして、管理サーバ１００は、抽出された設定情報に応じて、ドメイン内の少なくとも一つのデバイス３００−２、３００−３、３００−４．．．３００−ｎを制御できる。
【００３２】
または管理サーバ１００は、ロック装置３００−１から設定情報が受信されると、受信された設定情報を利用してドメイン内の少なくとも一つのデバイス３００−２、３００−３、３００−４．．．３００−ｎを制御できる。
【００３３】
一方、上述したところによれば、管理サーバ１００は、ロック装置３００−１からユーザ端末装置２００のユーザ識別情報またはユーザ端末装置２００に格納された設定情報を受信する場合を説明したが、これに限定されるものではない。すなわち、ユーザ端末装置２００のユーザがドメイン内に位置する場合、ユーザは、ユーザ端末装置２００と管理サーバ１００の近距離アクセスを行うことができ、この場合、管理サーバ１００は、ユーザ端末装置２００のユーザ識別情報またはユーザ端末装置２００に格納された設定情報をユーザ端末装置２００から直接受信することができる。またはユーザがユーザ端末装置２００と少なくとも一つのデバイス３００−２、３００−３、３００−４．．．３００−ｎの近距離アクセスを行うと、管理サーバ１００は、ユーザ端末装置２００のユーザ識別情報またはユーザ端末装置２００に格納された設定情報を少なくとも一つのデバイス３００−２、３００−３、３００−４．．．３００−ｎを介して受信することができる。
【００３４】
また、上述したところによれば、ロック装置３００−１は、各ドメイン１０２０、１０４０、１０６０の出入口に配置されたドアロックである場合を例に挙げて説明したが、ロック装置３００−１がロック機能を支援するソフトウェアを具備してロックＵＩ画面を提供する端末装置により具現化される場合、ユーザ端末装置２００との近距離アクセスを介してまたはロックＵＩ画面に対するユーザ入力によって受信された権限情報（例えば、パスワード及び／またはユーザＩＤ）を利用して上述した動作を行うことができる。
【００３５】
一方、上述した権限情報とは、ホームドメイン１０２０の場合にホームロック装置３００−１のロックを解除又は設定できるホームキー（key）情報でありうる。また、自動車ドメイン１０４０の場合に、権限情報は、自動車資金装置３００−１のロックを解除又は設定できる自動車キー情報でありる。また、会社ドメイン１０６０の場合に、会社ロック装置３００−１のロックを解除又は設定できる会社キー情報でありうる。
【００３６】
また、ロック装置３００−１がロック機能を支援するソフトウェアを具備してロックＵＩ画面を提供するＰＣのような端末装置により具現化される場合、権限情報は、パスワード及び／またはユーザＩＤでありうる。
【００３７】
ただし、権限情報はそれに限定されるものではなく、権限情報は、ドメインで管理サーバ１００の管理するドメインに接近できる多様な権限情報でありうる。
【００３８】
したがって、ユーザ端末装置２００が権限情報を利用して管理サーバ１００の管理するドメインに接近するということは、権限情報を利用してロック装置３００−１を解除し管理サーバ１００に接近するということを意味できる。
【００３９】
また、ドメインとは、管理サーバ１００が管理する範囲を意味するものであって、前記範囲には、少なくとも一つのデバイス３００−２、３００−３、３００−４．．．３００−ｎだけでなく、接近したユーザ端末装置２００を備えることができる。すなわち、ユーザ端末装置２００も設定情報に基づいて管理サーバ１００により制御できる。
【００４０】
また、ユーザ識別情報とは、ユーザ端末装置２００を使用するユーザＩＤ、ユーザ端末装置ユーザの電話番号またはユーザ端末装置のユーザのシリアルナンバーなどのような、複数のユーザを識別できる情報を意味する。ここで、ユーザ識別情報とは、ユーザそれぞれに設定された個人ユーザ識別情報及び複数のユーザを含むグループに設定されたグループユーザ識別情報を含むことができる。
【００４１】
また、ユーザ識別情報は、各ドメイン別に異なって設定されることができる。例えば同じユーザでもホームドメイン１０２０に用いられるユーザ識別情報、自動車ドメイン１０４０に用いられるユーザ識別情報、会社ドメイン１０６０に用いられるユーザ識別情報は、互いに違うことができる。この場合、ユーザ端末装置２００は、各ドメインに合うユーザ識別情報を送信できる。例えば、ユーザ端末装置がホームドメイン１０２０内のロック装置３００−１、管理サーバ１００、少なくとも一つのデバイス３００−２、３００−３、３００−４．．．３００−ｎとの近距離アクセスによりホームドメイン１０２０であることを認識すると、ユーザ端末装置２００は、ホームドメイン１０２０に対応するユーザ識別情報を格納部２００から抽出してホームドメイン１０２０内のロック装置３００−１、管理サーバ１００、少なくとも一つのデバイス３００−２、３００−３、３００−４．．．３００−ｎに送信できる。また、設定情報は、ユーザ識別情報に対応するユーザが少なくとも一つのデバイス３００−２、３００−３、３００−４．．．３００−ｎに設定した環境情報を含んでよい。ここで、設定情報は、デバイス情報、変更時間情報、変更場所情報、デバイス設定情報などを含むことができる。ここで、デバイス情報は、ＴＶ、クーラーなどのようなオブジェクト情報でありうる。また、変更時間情報は、デバイス設定情報が変更された時間に関する情報でありうる。また、変更場所情報は、デバイス設定情報が変更された場所に関する情報でありうる。また、デバイス設定情報は、例えば、ＴＶの場合に動作のＯＮ／ＯＦＦ情報、チャネル情報、音量情報、画質情報、最近視聴目録情報などでありうる。クーラーの場合に、動作のＯＮ／ＯＦＦ情報、温度情報、風量情報などでありうる。洗濯機の場合に、水の温度情報、洗濯情報などでありうる。ＣＣＴＶの場合に、動作のＯＮ／ＯＦＦ情報でありうる。ロボット掃除機の場合に、動作のＯＮ／ＯＦＦ情報でありうる。ボイラーの場合に、ボイラー動作のＯＮ／ＯＦＦ情報、温度情報などでありうる。照明灯の場合に、明るさ情報、電源のＯＮ／ＯＦＦ情報などでありうる。ＰＣの場合に動作のＯＮ／ＯＦＦ情報、画面明るさ情報、音量情報、マウス感度情報、ユーザＩＤ情報、パスワード情報などでありうる。プロジェクターの場合に、動作のＯＮ／ＯＦＦ情報などでありうる。
【００４２】
一方、一例によると、上述した管理システムの動作を参照するとき、会議準備は、次の通りに具現されることができる。すなわち、ユーザが会議室の出入口に配置されたロック装置３００−１とユーザ端末装置２００との間に近距離アクセスを行うと、会議室の内部に配置されたＰＣは、電源がＯＮになり、ユーザＩＤ及びパスワードが自動的に入力されてＯＳが実行されることができる。また、会議室の内部に配置されたプロジェクターも電源がＯＮになって会議準備が完了することができる。
【００４３】
一方、設定情報は、ユーザ端末装置２００、管理サーバ１００及び少なくとも一つのデバイス３０１、３０２、３０３、３０４の間で互いに共有されることができる。
【００４４】
また、ここで、権限情報、ユーザ識別情報、設定情報は、各々のネットワーク別に他のプロトコルを有することができる。例えば、ホームネットワークに用いられるプロトコルと自動車ネットワークに用いられるプロトコルが異なりうる。この場合に、ユーザ端末装置２００、管理サーバ１００、または少なくとも一つのデバイス３００−２、３００−３、３００−４．．．３００−ｎは、それぞれに対応するプロトコルに変更して権限情報、ユーザ識別情報、設定情報を使用することができる。図２は、本発明の他の実施形態にかかる管理システムを示す図である。図２に示すように、管理システム２０００は、管理サーバ１００、ユーザ端末装置２００、少なくとも一つのデバイス３００−２、３００−３、３００−４．．．３００−ｎ、クラウドサーバ４００の全てまたは一部を備える。
【００４５】
クラウドサーバ４００は、ユーザ識別情報に対応する設定情報を格納することができる。具体的にクラウドサーバ４００は、設定情報をユーザ識別情報にマッピングして格納することができる。ここで、設定情報は、クラウドサーバ４００と連動するユーザ端末装置２００、管理サーバ１００、少なくとも一つのデバイス３００−２、３００−３、３００−４．．．３００−ｎからユーザ識別情報にマッピングされて送信されることができる。この場合、設定情報は、各々のデバイスに対する設定情報が変更される場合、またはユーザの設定情報収集命令が入力される場合、ユーザ端末装置２００、管理サーバ１００、デバイス３００−２、３００−３、３００−４．．．３００−ｎから収集されることができ、収集された設定情報は、ユーザ識別情報にマッピングされて送信されることができる。
【００４６】
また、クラウドサーバ４００は、個人ユーザ識別情報に対応する設定情報とグループユーザ識別情報に対応する設定情報とを互いに区分して格納することができる。
【００４７】
ユーザ端末装置２００は、クラウドサーバ４００にユーザ識別情報を送信できる。ただし、ユーザ識別情報の伝送は、これに限定されるものではなく、ユーザ識別情報は、管理サーバ１００またはデバイス３００−２、３００−３、３００−４．．．３００−ｎからクラウドサーバ４００に送信されることができる。
【００４８】
この場合、クラウドサーバ４００は、受信されたユーザ識別情報に対応する設定情報を抽出する。そして抽出された設定情報を管理サーバ１００に送信する。
【００４９】
この場合、少なくとも一つのデバイス３００−２、３００−３、３００−４．．．３００−ｎは、設定情報に応じて動作できる。
【００５０】
また、クラウドサーバ４００は、ユーザ識別情報に対応する設定情報をユーザ端末装置２００に提供できる。
【００５１】
一方、上述した図１ないし２による管理システムは、認証方法と関連して統合認証または順次認証を行うことができる。
【００５２】
統合認証の場合には、ユーザ端末装置２００とロック装置３００−１との間の近距離アクセスが行われると、ユーザ端末装置２００は、権限情報及びユーザ識別情報を共にロック装置３００−１に送信できる。この場合、ロック装置３００−１は、受信された権限情報を利用してロック状態を解除又は設定でき、受信されたユーザ識別情報を管理サーバ１００またはクラウドサーバ４００に送信できる。この場合に、ユーザ識別情報の登録有無に応じて管理サーバ１００またはクラウドサーバ４００は、ユーザ端末装置２００に認証結果を送信できる。
【００５３】
順次認証の場合には、ユーザ端末装置２００とロック装置３００−１との間の近距離アクセスが行われると、ユーザ端末装置２００は、権限情報をロック装置３００−１に送信できる。この場合、ロック装置３００−１は、受信された権限情報を利用してロック状態を解除又は設定でき、権限情報の認証結果をユーザ端末装置２００に送信できる。ユーザ端末装置２００は、認証に成功すると、ユーザ端末装置２００は、ユーザ識別情報をロック装置３００−１に送信できる。この場合、ロック装置３００−１は、受信されたユーザ識別情報を管理サーバ１００またはクラウドサーバ４００に送信できる。この場合、管理サーバ１００またはクラウドサーバ４００は、ユーザ識別情報の登録／未登録に応じてユーザ端末装置２００に認証結果を送信できる。
【００５４】
ここで、認証結果は、ＳＭＳ（Short Message Service）、ＭＭＳ（Multi-media Message Service）のようなメッセージ形式に送信できる。
【００５５】
ユーザ端末装置２００の格納部２２０は、各々のドメインに対応するユーザ情報を格納することができる。ここで、ユーザ情報は、権限情報、ユーザ識別情報及び設定情報のうち、少なくとも一つを含むことができる。制御部２３０内のユーザ情報管理部２３１は、各々のドメインに対応するユーザ情報を格納部２２０から検出できる。これにより、ユーザ端末装置２００は、各々のドメインに対応するユーザ情報をロック装置３００−１に送信できる。ロック装置３００−１は、受信されたユーザ情報のうち、権限情報を利用してロック状態を解除又は設定でき、ユーザ端末装置２００から受信されたユーザ情報のうち、ユーザ識別情報または設定情報を管理サーバ１００に送信できる。
【００５６】
一方、管理サーバ１００は、ユーザ識別情報が受信されると、受信されたユーザ識別情報に対応する設定情報を抽出できる。そして、管理サーバ１００は、抽出された設定情報に応じてドメイン内の少なくとも一つのデバイス３００−２、３００−３、３００−４．．．３００−ｎを制御できる。
【００５７】
または、管理サーバ１００は、ロック装置３００−１から設定情報が受信されると、受信された設定情報を利用してドメイン内の少なくとも一つのデバイス３００−２、３００−３、３００−４．．．３００−ｎを制御できる。
【００５８】
図３は、本発明の一実施形態にかかる管理サーバを示すブロック図である。図３に示すように、管理サーバ１００は、通信部１１０、格納部１２０、制御部１３０を備える。
【００５９】
通信部１１０は、管理サーバ１００を外部機器と接続する機能を果たす。特に、通信部１１０は、権限情報を有したユーザ端末装置２００が権限情報を利用して管理サーバの管理するドメインに接近すると、ユーザ端末装置２００のユーザ識別情報を受信することができる。
【００６０】
また、通信部１１０は、権限情報を有したユーザ端末装置２００が権限情報を利用して管理サーバ１００の管理するドメインに接近すると、ユーザ端末装置２００に格納された設定情報を受信することができる。
【００６１】
ここで、通信部１１０は、ユーザ端末装置２００との近距離アクセスを介してユーザ識別情報またはユーザ端末装置２００に格納された設定情報を受信することができる。例えば、ユーザがユーザ端末装置２００を外部サーバに近距離アクセスする場合、通信部１１０は、ユーザ識別情報またはユーザ端末装置２００に格納された設定情報を近距離アクセスを介してユーザ端末装置２００から受信することができる。これについては、図６及び図９を参照して具体的に説明する。
【００６２】
また、通信部１１０は、ユーザ端末装置２００がロック装置３００−１に近距離無線通信方式によって、「権限情報及びユーザ識別情報」または「権限情報及びユーザ端末装置２００に格納された設定情報」を提供すると、ロック装置からユーザ識別情報またはユーザ端末装置２００に格納された設定情報を受信することができる。例えば、ユーザがユーザ端末装置２００をロック装置３００−１に近距離アクセスすると、ロック装置３００−１は、権限情報を利用して、管理サーバ１００の管理するドメイン内でユーザが接近できるか否かを判断し、判断の結果に応じて、ロックを解除するかどうかを決定できる。この場合、ロックが解除されると、ロック装置からユーザ識別情報またはユーザ端末装置２００に格納された設定情報を受信することができる。これについては、図５及び図８を参照して具体的に説明する。
【００６３】
また、通信部１１０は、ユーザ端末装置２００がロック装置３００−１を除いた少なくとも一つのデバイスに近距離無線通信方式に従ってユーザ識別情報を提供すると、少なくとも一つのデバイスからユーザ識別情報またはユーザ端末装置２００に格納された設定情報を受信することができる。例えば、ユーザがユーザ端末装置２００をロック装置３００−１を除いた少なくとも一つのデバイスに近距離アクセスすると、通信部１１０は、ユーザ識別情報またはユーザ端末装置２００に格納された設定情報を少なくとも一つのデバイスから受信することができる。これについては、図７及び図１０を参照して具体的に説明する。
【００６４】
また、通信部１１０は、ユーザ端末装置２００がロック装置３００−１に近距離無線通信方式に従って権限情報及びユーザ識別情報を提供すると、ロック装置３００−１から「権限情報及びユーザ識別情報」または「権限情報及びユーザ端末装置２００に格納された設定情報」を受信することができる。例えば、ユーザがユーザ端末装置２００をロック装置３００−１に近距離アクセスすると、通信部１１０は、ロック装置３００−１から「権限情報及びユーザ識別情報」または「権限情報及びユーザ端末装置２００に格納された設定情報」を受信することができる。この場合、制御部１２０は、受信された権限情報が管理サーバのドメインに接近できる権限情報であるかどうかによって、ロック装置のロックを解除するかどうかを制御できる。これについては、図５及び図８を参照して具体的に説明する。
【００６５】
ここで、近距離無線通信は、ユーザ端末装置２００と管理サーバ１００、ロック装置３００−１または少なくとも一つのデバイス３００−２、３００−３、３００−４．．．３００−ｎの間で行われることができる。具体的に近距離無線通信の場合に、ユーザ端末装置２００は、近距離無線通信タグを具備し、管理サーバ１００、ロック装置３００−１、少なくとも一つのデバイス３００−２、３００−３、３００−４．．．３００−ｎは、近距離無線通信リーダを具備する。この場合ユーザ端末装置が管理サーバ１００、ロック装置３００−１または少なくとも一つのデバイス３００−２、３００−３、３００−４．．．３００−ｎと近距離通信範囲内に位置する場合、管理サーバ１００、ロック装置３００−１または少なくとも一つのデバイス３００−２、３００−３、３００−４．．．３００−ｎに備えられた近距離無線通信リーダは、ユーザ端末装置２００に備えられた近距離無線通信タグの情報を読み出す。
【００６６】
ここで、近距離アクセスとは、ユーザ端末装置２００と管理サーバ１００、ロック装置３００−１または少なくとも一つのデバイス３００−２、３００−３、３００−４．．．３００−ｎのうち、少なくとも一つが近距離無線通信がなされる通信可能範囲内に移動するようになる行為を意味する。このような領域内に近接すると、管理サーバ１００、ロック装置３００−１または少なくとも一つのデバイス３００−２、３００−３、３００−４．．．３００−ｎ内の近距離無線通信リーダでは、外部機器内の近距離無線通信タグに記録された情報を読み出す（reading）ことができる。近距離無線通信方式の例としては、ＮＦＣが用いられることができる。ＮＦＣとは、１３．５６Ｍｚの周波数帯域を使用する非接触式近距離無線通信方式である。ＮＦＣ技術を利用すると、複数の端末機が約１０ｃｍ以内のように近距離に接近したときにデータが送受信されることができる。近距離アクセスがなされると、近距離無線通信リーダは、外部機器の近距離無線通信タグからユーザ識別情報、権限情報またはユーザ端末装置２００に格納された設定情報を受信することができる。
【００６７】
近距離無線通信方式の他のとしては、バーコード方式、ＱＲコード（登録商標）方式、ＷｉＦｉ、ジグビー、ブルートゥースなどが使用されることができる。
【００６８】
ＮＦＣタグは、集積回路（Integrated Circuit:ＩＣ）及びアンテナコイルから構成されることができる。ＮＦＣモジュールは、ＮＦＣリーダ付き装置と近距離アクセスされると、ＮＦＣリーダから発する電磁波により駆動されて、ＮＦＣタグ内に格納された情報が載せられたＲＦ信号を送信する。ＮＦＣタグ内のアンテナコイルでは、ＮＦＣリーダから発する電磁波により電流が誘導される。誘導された電流は、ＮＦＣタグ内に備えられたキャパシタに充電される。集積回路は、キャパシタに充電された電流により駆動されて、予め格納された情報を変調及びコーディングしてＲＦ信号を生成する。
【００６９】
ＮＦＣモジュールは、多様な種類の変調技術及びコーディング方式の中で予め設定された変調技術及びコーディング方式に従ってＲＦ信号を生成できる。すなわち、、変調とは、ＮＦＣタグ及びリーダの間で交換されるＲＦキャリア信号の振幅、周波数、位相などを変化させてデータを載せる技術であってよい。変調には、振幅偏移変調（Amplitude Shift Keying:ＡＳＫ）、周波数偏移変調（Frequency Shift Keying:ＦＳＫ）、位相偏移変調（Phase Shift Keying:ＰＳＫ）技術などが用いられることができる。ＡＳＫ方式は、デジタル形態の情報信号（information signal）が０なのか１なのかによってキャリア信号（carrier signal）の振幅を変化（shift）させる方式である。たとえば、情報信号が０であるとき、搬送信号の振幅を小さくし、１の場合には、振幅を大きくして送信する。２段階の振幅を使用すると、１ビットを送信できるが、４段階の互いに異なる振幅を使用すると、２ビットを同時に送信できる。ＦＳＫ方式は、デジタル信号である０と１ビットを２種類（低周波、高周波）の周波数にそれぞれ割り当てて送信する方式である。たとえば、情報信号が０の場合には、搬送周波数より低い周波数を、１の場合には、搬送周波数より高い周波数を発生させて送信する方式である。ＰＳＫ方式は、送信されるデータに応じて搬送波の位相を変更する方式である。位相の変化量は、データにより決定される。送信するデータが０の場合には、搬送波の位相を１８０度変化させ、１の場合に９０度変化させて情報をビット単位で一つずつ送信する。その他、コーディング方式には、Ｍｏｄｉｆｉｅｄ  Ｍｉｌｌｅｒコーディング方式とマンチェスター（Manchester）コーディング方式が利用されることができる。
【００７０】
変調方式及びコーディング方式は、機器の種類及び環境によって適切に選択されることができる。たとえば、ＮＦＣタグが電池を具備せずＮＦＣリーダから発する電磁波により誘導される電流により駆動される受動型の場合、ＡＳＫ技術及びマンチェスターコーディング方式が採用されることができる。反面、ＮＦＣタグが自家電力を保有した状態で外部のＮＦＣリーダと通信する能動型の場合、１０６ｋｂｐｓ速度では、ＡＳＫ及びＭｉｄｉｆｉｅｄ  Ｍｉｌｌｅｒコーディング方式が採用され、２１２ｋｂｐｓ、４２４ｋｂｐｓ速度では、ＡＳＫ及びマンチェスターコーディング方式が採用されることができる。
【００７１】
一方、上述した権限情報、ユーザ識別情報及び設定情報のうち、少なくとも一つを含むユーザ情報は、ＮＤＥＦ（NFC Data Exchange Format）で送受信できる。これについては、図５３を参照して具体的に説明する。
【００７２】
図５３は、本発明の一実施形態にかかるＮＤＥＦを示す図である。図５３に示すように、一つの基本的なメッセージ単位のＮＤＥＦメッセージ８００は、複数のＮＤＥＦレコード８００−１、８００−２．．．８００−ｎを含む。
【００７３】
ここで、一個のＮＤＥＦレコードは、レコードに対する基本的な情報を表すレコードヘッダ（header）項目、データタイプの長さを示すタイプ長（type length）項目、ペイロードの長さを表すペイロード長（payload length）項目、ＩＤの長さを表すＩＤ長（ID length）項目、レコードが含んでいるペイロードのタイプを示すタイプ（type）項目、レコードが含んでいるペイロードのタイプを表すペイロードＩＤ項目、レコードが含んでいるペイロードを表すペイロード項目を含むことができる。
【００７４】
一方、一個のＮＤＥＦレコードには、一個のデータを含んでいるが、このデータが「ペイロード」であり、ＮＤＥＦレコードは、前記ペイロードを送受信するために必要でありうる。
【００７５】
これにより、上述した権限情報及びユーザ識別情報を送受信する場合、権限情報及びユーザ識別情報のそれぞれは、一個のＮＤＥＦメッセージ８００の互いに異なるＮＤＥＦレコード８００−１、８００−２．．．８００−ｎに送受信できる。
【００７６】
また、上述した権限情報及び設定情報を送受信する場合、権限情報及び設定情報のそれぞれは、一個のＮＤＥＦメッセージ８００の互いに異なるＮＤＥＦレコード８００−１、８００−２．．．８００−ｎに送受信できる。この場合、設定情報は、デバイス別に分類して一個のＮＤＥＦメッセージ８００の互いに異なるＮＤＥＦレコード８００−１、８００−２．．．８００−ｎに送受信されることができる。ただし、設定情報は、上述したように、デバイス情報、変更時間情報、変更場所情報、デバイス設定情報など多様な情報を含むため、ＮＦＣ特性上一個のＮＤＥＦメッセージ８００ですべての設定情報を送受信することができない場合がある。この場合、複数のＮＤＥＦメッセージ８００で上述した権限情報及び設定情報が送受信されることができる。
【００７７】
また、通信部１２０は、近距離無線通信方式の他に、近距離通信網（ＬＡＮ：Local Area Network）及びインターネット網を介して無線または有線方式で接続される形態だけでなく、ＵＳＢ（Universal Serial Bus）ポートを介して接続される形態で多様な情報を受信することができる。
【００７８】
格納部１２０は、管理サーバ１００の駆動に必要な多様なプログラム及びデータを格納する機能を果たす。特に、格納部１２０は、少なくとも一つのデバイスに対する設定情報をユーザ識別情報にマッピングして格納する。ここで、格納部１２０は、個人ユーザ識別情報に対応する設定情報とグループユーザ識別情報に対応する設定情報を互いに区分して格納することができる。例えば、格納部１２０は、下記のようにマッピングして格納することができる。
【００７９】
【表１】
2013218698.tif 000003
【００８０】
一方、ユーザがドメイン内の少なくとも一つのデバイス３００−２、３００−３、３００−４．．．３００−ｎを使用すると、少なくとも一つのデバイス３００−２、３００−３、３００−４．．．３００−ｎに対する設定情報は更新されることができる。この場合、格納部１２０は、更新された設定情報をユーザ識別情報にマッピングして格納することができる。
【００８１】
また、ユーザ識別情報にマッピングされた設定情報がまだ設定されていない初期状態では、格納部１２０は、設定情報をデフォルト値として格納することができる。
【００８２】
ここで、格納部１２０は、ＲＡＭ（Random Access Memory）、フレッシュメモリ、ＲＯＭ（Read Only Memory）、ＥＰＲＯＭ（Erasable Programmable ROM）、ＥＥＰＲＯＭ（Electronically Erasable and Programmable ROM）、レジスタ、ハードディスク、リムーバブルディスク、メモリカードなどのような内蔵された形態の格納素子はもちろん、ＵＳＢメモリ、ＣＤ−ＲＯＭなどのような着脱可能な形態の格納素子により具現化されることができる。
【００８３】
制御部１３０は、管理サーバ１００の全般的な動作を制御する。具体的に制御部１３０は、通信部１１０、格納部１２０の全てまたは一部を制御できる。制御部は、ＣＰＵ（Ｃｅｎｔｒａｌ  Ｐｒｏｃｅｓｓｉｎｇ  Ｕｎｉｔ）、マイクロプロセッサなどで実現されてよい。
【００８４】
特に、制御部１３０は、受信された権限情報が管理サーバのドメインに接近できる権限情報であるかどうかを示すお知らせ情報をユーザ端末装置２００または少なくとも一つのデバイスに送信するように通信部１１０を制御できる。
【００８５】
また、制御部１３０は、ユーザ識別情報に対応する設定情報を抽出し、抽出された設定情報に応じてドメイン内の少なくとも一つのデバイスを制御できる。
【００８６】
ここで、制御部１３０は、管理サーバ１００内の格納部１２０からユーザ識別情報に対応する設定情報を抽出し、抽出された設定情報に応じてドメイン内の少なくとも一つのデバイスを制御できる。例えば、格納部１２０が受信されたユーザ識別情報にルーム１のＴＶの場合に、チャネル情報、音量情報、画質情報、最近視聴目録情報をマッピングして格納し、ルーム２のクーラーの場合に、温度情報、風量情報をマッピングして格納し、トイレの洗濯機の場合に、水の温度情報、洗濯情報をマッピングして格納する場合、制御部１３０は、上述した設定情報を抽出できる。これにより、制御部１３０は、抽出した設定情報を利用してホームドメイン内のルーム１、ルーム２およびトイレに設けられたＴＶ、クーラー、洗濯機を制御するための制御信号を生成できる。そして制御部１３０は、生成された制御信号を各々のデバイスに提供できる。この場合、各々のデバイスは、受信された制御信号に応じて各々の設定情報をセットして動作できる。
【００８７】
また、制御部１３０は、ユーザ端末装置２００に格納された設定情報を抽出し、抽出された設定情報に応じてドメイン内の少なくとも一つのデバイスを制御できる。例えば、各々のデバイスに対する設定情報は、ユーザ端末装置２００に格納されていることができる。この場合、制御部１３０は、ユーザ端末装置２００に格納された設定情報を受信することができる。この場合、管理サーバ１３０は、受信された設定情報を利用してドメイン内の少なくとも一つのデバイスを制御するための制御信号を生成できる。そして制御部１３０は、生成された制御信号を少なくとも一つのデバイスに提供できる。この場合、少なくとも一つのデバイスは、受信された制御信号に応じて各々の設定情報をセットして動作できる。
【００８８】
また、制御部１３０は、ドメイン内に含まれた少なくとも一つのデバイス各々に格納された設定情報を抽出し、抽出された設定情報に応じてドメイン内の少なくとも一つのデバイスを制御できる。例えば、デバイスに対する設定情報は、各々のデバイス３００−２、３００−３、３００−４．．．３００−ｎに格納されていることができる。この場合、制御部１３０は、受信されたユーザ識別情報を各々のデバイス３００−２、３００−３、３００−４．．．３００−ｎに送信し、各々のデバイス３００−２、３００−３、３００−４．．．３００−ｎからユーザ識別情報にマッピングする設定情報を受信することができる。この場合、制御部１３０は、受信された設定情報を利用してドメイン内の少なくとも一つのデバイスを制御するための制御信号を生成できる。そして、制御部１３０は、生成された制御信号を少なくとも一つのデバイスに提供できる。この場合、少なくとも一つのデバイスは、受信された制御信号に応じて各々の設定情報をセットして動作できる。
【００８９】
ただし、これに限定されるものではなく、各々のデバイスが受信されたユーザ識別情報に対応する設定情報を抽出できる。この場合、少なくとも一つのデバイスは、管理サーバ１００の制御無しで抽出された設定情報を利用して動作できる。
【００９０】
また、制御部１３０は、管理サーバ１００と接続したクラウドサーバ４００に格納された設定情報を抽出し、抽出された設定情報に応じてドメイン内の少なくとも一つのデバイスを制御できる。例えば、各々のデバイスに対する設定情報は、クラウドサーバ４００に格納されていることができる。この場合、制御部１３０は、受信されたユーザ識別情報をクラウドサーバ４００に送信し、クラウドサーバ４００からユーザ識別情報にマッピングする設定情報を受信することができる。この場合、制御部１３０は、受信された設定情報を利用してドメイン内の少なくとも一つのデバイスを制御するための制御信号を生成できる。そして、制御部１３０は、生成された制御信号を少なくとも一つのデバイスに提供できる。この場合、少なくとも一つのデバイスは、受信された制御信号に応じて各々の設定情報をセットして動作できる。
【００９１】
ここで、制御部１３０は、受信されたユーザ識別情報が個人ユーザ識別情報である場合、個人ユーザ識別情報に対応する設定情報を抽出し、受信されたユーザ識別情報がグループユーザ識別情報である場合、グループユーザ識別情報に対応する設定情報を抽出できる。例えば、ホームネットワークの場合、個人ユーザが単独で使用できるが、ユーザの家族が使用することができる。この場合、個人ユーザの各々のデバイスに対する設定情報と家族ユーザの各々のデバイスに対する設定情報は異なりうる。これにより、制御部１３０は、受信されたユーザ識別情報が個人ユーザ識別情報であるかどうか、ユーザの家族に対するグループユーザ識別情報であるかどうかに応じて対応する設定情報を抽出できる。
【００９２】
また、制御部１３０は、受信された個人ユーザ識別情報に対応するユーザの以前ユーザ権限情報認証履歴情報に応じて、個人ユーザ識別情報をグループユーザ識別情報と判断できる。例えば、ホームネットワークの場合、一般に第１の人がホームに進入した後、第２の人がホームに進入できる。この場合、制御部１３０は、第２の人が進入する前に、第１の人が進入したため、ユーザ識別情報を第１及び第２の人を含むグループユーザ識別情報と判断できる。この場合、少なくとも一つのデバイスに対する設定情報が更新されると、制御部１３０は、グループユーザ識別情報に更新された設定情報をマッピングして格納することができる。
【００９３】
また、制御部１３０は、受信された個人ユーザ識別情報に応じて個人ユーザ識別情報に対応する設定情報で少なくとも一つのデバイスを制御した後に、更新された設定情報がグループユーザ識別情報に対応する設定情報である場合、グループユーザ使用環境と判断できる。例えば、ホームネットワークの場合、一般に家族単位でホームに進入しても、一人だけの権限情報でホームに進入できる。これにより、ユーザ識別情報を提供した個人の設定情報でデバイスを設定しても、家族は、家族に合うように少なくとも一つのデバイス設定情報をアップデートできる。この場合、制御部１３０は、更新された少なくとも一つのデバイス設定情報がグループユーザ識別情報に対応するグループの設定情報である場合、グループユーザ使用環境と判断できる。この場合、少なくとも一つのデバイスに対する設定情報が更新されると、制御部１３０は、グループユーザ識別情報に更新された設定情報をマッピングして格納することができる。
【００９４】
また、制御部１３０は、ドメインに対応するユーザ設定情報及びユーザ識別情報を関連付けて格納できる。例えば、ホームネットワークで、前記ホームネットワークにＴＶ、クーラー、洗濯機、照明などが含まれた場合、制御部１３０は、ホームネットワークの管理サーバ２００のドメインに含まれたＴＶ、クーラー、洗濯機、照明などに対するユーザの設定情報をユーザ識別情報にマッピングして格納するように制御できる。
【００９５】
ここで、制御部１３０は、少なくとも一つのデバイスに対するユーザ設定情報が更新されると、更新されたユーザ設定情報をユーザ識別情報にマッピングして格納するように制御できる。具体的に管理サーバ１００は、少なくとも一つのデバイスに対するユーザ設定情報が変更されると、通信部１１０を介してユーザの設定情報を受信することができる。この場合、制御部１３０は、受信されたユーザ設定情報をユーザ識別情報にマッピングして格納するように制御できる。
【００９６】
また、制御部１３０は、少なくとも一つのデバイスに対するユーザ設定情報を獲得するためのユーザ命令が入力されると、ユーザ設定情報を受信し、受信されたユーザ設定情報をユーザ識別情報にマッピングして格納することができる。
【００９７】
また、制御部１３０は、ユーザ端末装置２００がロック装置３００−１と近距離アクセスされて、ロックが設定されると、ロックが設定された時点で、少なくとも一つのデバイスに対するユーザ設定情報を受信し、受信されたユーザ設定情報をユーザ識別情報にマッピングして格納することができる。
【００９８】
また、制御部１３０は、受信されたユーザ識別情報が個人ユーザ識別情報である場合、ユーザ設定情報を個人ユーザ識別情報にマッピングして格納することができる。また、制御部１３０は、受信されたユーザ識別情報がグループユーザ識別情報である場合、ユーザ設定情報をグループユーザ識別情報にマッピングして格納することができる。
【００９９】
ここで、制御部１３０は、ドメインに対応するユーザ設定情報及びユーザ識別情報を管理サーバ１００内の格納部１２０に格納するように制御できる。これについては、図１７ないし図１９を参照して具体的に説明する。
【０１００】
ここで、制御部１３０は、少なくとも一つのデバイス３００−２、３００−３、３００−４．．．３００−ｎに対してドメインに対応するユーザ設定情報及びユーザ識別情報を格納するように制御できる。これについては、図２０ないし２１を参照して具体的に説明する。
【０１０１】
また、制御部１３０は、ユーザ端末装置２００に対してドメインに対応するユーザ設定設定情報及びユーザ識別情報を格納するように制御できる。これについては、図２２を参照して具体的に説明する。
【０１０２】
ここで、制御部１３０は、ＣＰＵ、制御プログラムが格納されたＲＯＭ、入力データを記憶したり作業関連記憶領域として用いられるＲＡＭを含むことができる。ここで、ＣＰＵ、ＲＯＭ、ＲＡＭは、内部バスを介して相互接続されることができる。
【０１０３】
また、管理サーバ２００は、ディスプレイ部（図示せず）をさらに備えることができる。ここで、ディスプレイ部は、抽出された設定情報及びユーザ識別情報を表示する。具体的にディスプレイ部１４０は、ＴＶの場合に、チャネル情報、音量情報、画質情報、最近視聴目録情報、クーラーの場合に、温度情報、風量情報などをユーザ識別情報と共に表示できる。
【０１０４】
ここで、ディスプレイ部１４０は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、３次元ディスプレイ（3D display）のうち、少なくとも一つにより具現化されることができる。
【０１０５】
上述した本発明の一実施形態にかかる管理サーバによれば、受信されたユーザ識別情報に対応する設定情報を抽出することによって、管理サーバのドメイン内の少なくとも一つのデバイスに対する環境設定を簡単に行うことができる。
【０１０６】
図４は、本発明の一実施形態にかかるユーザ端末装置を示すブロック図である。図４に示すように、ユーザ端末装置２００は、通信部２１０、格納部２２０、制御部２３０の全てまたは一部を備える。
【０１０７】
通信部２１０は、ユーザ端末装置２００を外部機器と接続する機能を果たす。特に通信部２１０は、抽出された設定情報を送信できる。具体的に通信部２１０は、管理サーバ１００のドメインに接近できる権限情報を利用して、管理サーバの管理するドメインに接近すると、ユーザ端末装置に格納された設定情報のうち、抽出された設定情報を送信できる。
【０１０８】
ここで、抽出された設定情報は、ユーザ端末装置２００と管理サーバ１００の近距離アクセスによって、送信されることができる。また、抽出された設定情報は、ユーザ端末装置２００とロック装置３００−１の近距離アクセスによって、送信されることができる。また、抽出された設定情報は、ユーザ端末装置２００と少なくとも一つのデバイス３００−２、３００−３、３００−４．．．３００−ｎとの近距離アクセスによって、送信されることができる。これについては、図８ないし１０を参照して具体的に説明する。
【０１０９】
ホームネットワークを例に挙げて説明すると、抽出された設定情報は、ルーム１のＴＶの場合に、チャネル情報、音量情報、画質情報、最近視聴目録情報、ルーム２のクーラーの場合に、温度情報、風量情報、トイレの洗濯機の場合に、水の温度情報、洗濯情報でありうる。これにより、管理サーバ２００は、抽出された設定情報が受信されると、抽出された設定情報を利用してホームドメイン内のルーム１、ルーム２およびトイレに設置されたＴＶ、クーラー、洗濯機を制御するための制御信号を生成できる。この場合、各々のデバイスは、受信された制御信号に応じて各々の設定情報をセットして動作できる。
【０１１０】
格納部２２０は、ユーザ端末装置２００の駆動に必要な多様なプログラム及びデータを格納する機能を果たす。特に、格納部２２０は、ユーザ識別情報、権限情報、少なくとも一つのデバイスに対する設定情報を格納することができる。制御部２３０は、ユーザ端末装置２００の全般的な動作を制御する。具体的に制御部２３０は、通信部２１０、格納部２２０の全てまたは一部を制御できる。
【０１１１】
特に、制御部２３０は、抽出された設定情報を利用して管理サーバがドメイン内の少なくとも一つのデバイスを制御するようにすることができる。
【０１１２】
また、通信部２１０を介して少なくとも一つのデバイスに対して更新された設定情報が管理サーバ１００から受信されると、制御部２３０は、更新された設定情報を格納するように格納部２２０を制御できる。
【０１１３】
また、通信部２１０を介して少なくとも一つのデバイスに対して更新された設定情報が少なくとも一つのデバイスから受信されると、制御部２３０は、更新された設定情報を格納するように格納部２２０を制御できる。
【０１１４】
ここで、制御部２３０は、ユーザ端末装置２００が管理サーバ１００の管理するドメインを離脱または接続が途切れたり、または設定情報格納命令が入力されると受信して格納するように制御できる。ここで、管理サーバ１００の管理するドメインを離脱する場合には、例えば、ユーザ端末装置１００がロック装置３００−１との近距離アクセスを介してロック設定をする場合でありうる。仮に、ユーザ端末装置２００が管理サーバ１００の管理するドメインを離脱する場合、管理サーバ１００は、ドメインを離脱したことを知らせるお知らせ信号をユーザ端末装置２００に提供できる。
【０１１５】
上述した本発明の一実施形態にかかるユーザ端末装置によれば、抽出された設定情報を送信することによって、管理サーバのドメイン内の少なくとも一つのデバイスに対する環境設定を簡単に行うことができる。
【０１１６】
図５ないし７は、管理サーバが設定情報を格納し、格納された設定情報を利用して少なくとも一つのデバイスを制御する方法を説明するタイミング図である。
【０１１７】
図５に示すように、ユーザ端末装置２００は、ロック装置３００−１との近距離アクセスを介して権限情報及びユーザ識別情報をロック装置３００−１に送信する（Ｓ５０１）。
【０１１８】
この場合、ロック装置３００−１は、ユーザ端末装置２００から受信したユーザ端末装置２００の権限情報が管理サーバ１００の管理するドメインに接近が可能な権限情報であるかどうかを認証する（Ｓ５０２）。
【０１１９】
管理サーバ１００の管理するドメインに接近が可能な権限情報である場合、ロック装置３００−１は、ロックを解除する（Ｓ５０３）。そして、受信されたユーザ識別情報を管理サーバ１００に送信する（Ｓ５０４）。
【０１２０】
この場合、管理サーバ１００は、ユーザ識別情報に対応する設定情報を抽出する（Ｓ５０５）。そして、管理サーバ１００は、抽出された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ５０６）。
【０１２１】
この場合、少なくとも一つのデバイス３００−２、３００−３、３００−４．．．３００−ｎは、管理サーバ１００から受信された制御信号に応じて動作する（Ｓ５０７）。
【０１２２】
ただし、図５を説明するにおいて、ロック装置３００−１が権限情報を認証すると説明したが、場合によっては、ロック装置３００−１は、権限情報及びユーザ識別情報を管理サーバ１００に伝達する媒介体としての役割だけを行うことができる。この場合に、管理サーバ１００は、権限情報認証を行い、権限情報が認証されると、ロックを解除するようにロック装置３００−１を制御できる。
【０１２３】
図６に示すように、ユーザ端末装置２００は、管理サーバ１００との直接近距離アクセスを介してユーザ識別情報を管理サーバ１００に送信する（Ｓ６０１）。
【０１２４】
この場合、管理サーバ１００は、ユーザ識別情報に対応する設定情報を抽出する（Ｓ６０２）。そして、管理サーバ１００は、抽出された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ６０３）。
【０１２５】
この場合、少なくとも一つのデバイス３００−２、３００−３、３００−４．．．３００−ｎは、管理サーバ１００から受信された制御信号設定情報に応じて動作する（Ｓ５０４）。
【０１２６】
図７に示すように、ユーザ端末装置２００は、少なくとも一つのデバイス３００−２、３００−３、３００−４．．．３００−ｎとの近距離アクセスを介してユーザ識別情報を少なくとも一つのデバイス３００−２、３００−３、３００−４．．．３００−ｎに送信する（Ｓ７０１）。
【０１２７】
この場合、少なくとも一つのデバイス３００−２、３００−３、３００−４．．．３００−ｎは、受信されたユーザ識別情報を管理サーバ１００に送信する（Ｓ７０２）。
【０１２８】
この場合、管理サーバ１００は、ユーザ識別情報に対応する設定情報を抽出する（Ｓ７０３）。そして、管理サーバ１００は、抽出された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ７０４）。この場合、少なくとも一つのデバイス３００−２、３００−３、３００−４．．．３００−ｎは、管理サーバ１００から受信された制御信号に応じて動作する（Ｓ７０５）。
【０１２９】
図８ないし１０は、ユーザ端末装置が設定情報を格納し、格納された設定情報を利用して少なくとも一つのデバイスを制御する方法を説明するタイミング図である。
【０１３０】
図８に示すように、ユーザ端末装置２００は、ロック装置３００−１との近距離アクセスを介して権限情報及び設定情報をロック装置３００−１に送信する（Ｓ８０１）。
【０１３１】
この場合に、ロック装置３００−１は、ユーザ端末装置２００から受信されたユーザ端末装置２００の権限情報が管理サーバ１００の管理するドメインに接近が可能な権限情報であるかどうかを認証する（Ｓ８０２）。
【０１３２】
管理サーバ１００の管理するドメインに接近が可能な権限情報である場合、ロック装置３００−１は、ロックを解除する（Ｓ８０３）。そして、受信された設定情報を管理サーバ１００に送信する（Ｓ８０４）。
【０１３３】
この場合、管理サーバ１００は、受信された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ８０５）。
【０１３４】
この場合、少なくとも一つのデバイス３００−２、３００−３、３００−４．．．３００−ｎは、管理サーバ１００から受信された制御信号に応じて動作する（Ｓ８０６）。
【０１３５】
ただし、図８を説明するにおいて、ロック装置３００−１が権限情報を認証すると説明したが、場合によっては、ロック装置３００−１は、権限情報及び設定情報を管理サーバ１００に伝達する媒介体としての役割だけを行うことができる。この場合に、管理サーバ１００は、権限情報認証を行い、権限情報が認証されると、ロックを解除するようにロック装置３００−１を制御できる。
【０１３６】
図９に示すように、ユーザ端末装置２００は、管理サーバ１００との近距離アクセスを介して設定情報を管理サーバ１００に送信する（Ｓ９０１）。
【０１３７】
この場合、管理サーバ１００は、受信された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ９０２）。
【０１３８】
この場合、少なくとも一つのデバイス３００−２、３００−３、３００−４．．．３００−ｎは、管理サーバ１００から受信された制御信号に応じて動作する（Ｓ９０３）。
【０１３９】
図１０に示すように、ユーザ端末装置２００は、少なくとも一つのデバイス３００−２、３００−３、３００−４．．．３００−ｎとの近距離アクセスを介して設定情報を少なくとも一つのデバイス３００−２、３００−３、３００−４．．．３００−ｎに送信する（Ｓ１００１）。
【０１４０】
この場合、少なくとも一つのデバイス３００−２、３００−３、３００−４．．．３００−ｎは、受信された設定情報を管理サーバ１００に送信する（Ｓ１００２）。
【０１４１】
この場合、管理サーバ１００は、受信された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ１００３）。この場合、少なくとも一つのデバイス３００−２、３００−３、３００−４．．．３００−ｎは、管理サーバ１００から受信された制御信号に応じて動作する（Ｓ１００４）。
【０１４２】
ただし、図１０を説明するにおいて、少なくとも一つのデバイス３００−２、３００−３、３００−４．．．３００−ｎが管理サーバ２００の制御下で動作すると説明したが、場合によっては、少なくとも一つのデバイス３００−２、３００−３、３００−４．．．３００−ｎは、近距離アクセスを介して受信された設定情報に応じて直ちに動作できる。例えば、デバイス３００−２、３００−３、３００−４．．．３００−ｎがＴＶである場合、ユーザ端末装置２００との近距離アクセスを介してＴＶチャネル情報及びＴＶ音量情報が受信されると、デバイス３００−２、３００−３、３００−４．．．３００−ｎは、受信された設定情報で直ちにセットできる。
【０１４３】
図１１は、ロック装置３００−１が設定情報を格納し、ロック装置３００−１が格納された設定情報を利用して少なくとも一つのデバイスを制御する方法を説明するタイミング図である。
【０１４４】
図１１に示すように、ユーザ端末装置２００は、ロック装置３００−１との近距離アクセスを介して権限情報及びユーザ識別情報をロック装置３００−１に送信する（Ｓ１１０１）。
【０１４５】
この場合に、ロック装置３００−１は、ユーザ端末装置２００から受信されたユーザ端末装置２００の権限情報が管理サーバ１００の管理するドメインに接近が可能な権限情報であるかどうかを認証する（Ｓ１１０２）。
【０１４６】
管理サーバ１００の管理するドメインに接近が可能な権限情報である場合、ロック装置３００−１は、ロックを解除する（Ｓ１１０３）。そして、受信されたユーザ識別情報に対応する設定情報を抽出する（Ｓ１１０４）。
【０１４７】
この場合、ロック装置３００−１は、抽出された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ１１０５）。
【０１４８】
この場合、少なくとも一つのデバイス３００−２、３００−３、３００−４．．．３００−ｎは、管理サーバ１００から受信された制御信号に応じて動作する（Ｓ１１０６）。
【０１４９】
ただし、図１１を説明するにおいて、ロック装置３００−１が権限情報を認証すると説明したが、場合によっては、ロック装置３００−１は、権限情報を管理サーバ１００に伝達する媒介体としての役割だけを行うことができる。この場合、管理サーバ１００は、権限情報認証を行い、権限情報が認証されると、ロックを解除するようにロック装置３００−１を制御できる。
【０１５０】
図１２ないし１４は、少なくとも一つのデバイス３００−２、３００−３、３００−４．．．３００−ｎが設定情報を格納し、格納された設定情報を利用して少なくとも一つのデバイスが動作する方法を説明するタイミング図である。
【０１５１】
図１２に示すように、ユーザ端末装置２００は、ロック装置３００−１との近距離アクセスを介して権限情報及びユーザ識別情報をロック装置３００−１に送信する（Ｓ１２０１）。
【０１５２】
この場合、ロック装置３００−１は、ユーザ端末装置２００から受信されたユーザ端末装置２００の権限情報が管理サーバ１００の管理するドメインに接近が可能な権限情報であるかどうかを認証する（Ｓ１２０２）。
【０１５３】
管理サーバ１００の管理するドメインに接近が可能な権限情報である場合、ロック装置３００−１は、ロックを解除する（Ｓ１２０３）。そして、受信されたユーザ識別情報を管理サーバ１００に送信する（Ｓ１２０４）。この場合、管理サーバ１００は、受信されたユーザ識別情報を少なくとも一つのデバイス３００−２、３００−３、３００−４．．．３００−ｎに送信する（Ｓ１２０５）。
【０１５４】
この場合、少なくとも一つのデバイス３００−２、３００−３、３００−４．．．３００−ｎのそれぞれは、受信されたユーザ識別情報に対応する設定情報を抽出する（Ｓ１２０６）。そして、少なくとも一つのデバイス３００−２、３００−３、３００−４．．．３００−ｎのそれぞれは、抽出された設定情報を利用して少なくとも一つのデバイス３００−２、３００−３、３００−４．．．３００−ｎのそれぞれを制御する制御信号を生成する（Ｓ１２０７）。そして、少なくとも一つのデバイス３００−２、３００−３、３００−４．．．３００−ｎのそれぞれは、生成された制御信号に応じて動作する（Ｓ１２０８）。
【０１５５】
ただし、図１２を説明するにおいて、ロック装置３００−１が権限情報を認証すると説明したが、場合によっては、ロック装置３００−１は、権限情報及び設定情報を管理サーバ１００に伝達する媒介体としての役割だけを行うことができる。この場合、管理サーバ１００は、権限情報認証を行い、権限情報が認証されると、ロックを解除するようにロック装置３００−１を制御できる。また、ロック装置３００−１が少なくとも一つのデバイス３００−２、３００−３、３００−４．．．３００−ｎとネットワークを形成するか、またはロック装置３００−１がサーバの役割を果たす場合、管理サーバ１００の媒介体としての役割を果たす必要がなく、直接ユーザ識別情報を少なくとも一つのデバイス３００−２、３００−３、３００−４．．．３００−ｎに送信できる。
【０１５６】
図１３に示すように、ユーザ端末装置２００は、管理サーバ１００との近距離アクセスを介してユーザ識別情報を管理サーバ１００に送信する（Ｓ１３０１）。
【０１５７】
この場合、管理サーバ１００は、受信されたユーザ識別情報を利用して少なくとも一つのデバイス３００−２、３００−３、３００−４．．．３００−ｎに送信する（Ｓ１３０２）。
【０１５８】
この場合、少なくとも一つのデバイス３００−２、３００−３、３００−４．．．３００−ｎのそれぞれは、受信されたユーザ識別情報に対応する設定情報を抽出する（Ｓ１３０３）。そして、少なくとも一つのデバイス３００−２、３００−３、３００−４．．．３００−ｎのそれぞれは、抽出された設定情報を利用して少なくとも一つのデバイス３００−２、３００−３、３００−４．．．３００−ｎのそれぞれを制御する制御信号を生成する（Ｓ１３０４）。そして、少なくとも一つのデバイス３００−２、３００−３、３００−４．．．３００−ｎのそれぞれは、生成された制御信号に応じて動作する（Ｓ１３０５）。
【０１５９】
図１４に示すように、ユーザ端末装置２００は、少なくとも一つのデバイス３００−２、３００−３、３００−４．．．３００−ｎとの近距離アクセスを介してユーザ識別情報を少なくとも一つのデバイス３００−２、３００−３、３００−４．．．３００−ｎに送信する（Ｓ１４０１）。
【０１６０】
この場合、少なくとも一つのデバイス３００−２、３００−３、３００−４．．．３００−ｎのそれぞれは、受信されたユーザ識別情報に対応する設定情報を抽出する（Ｓ１４０２）。そして、少なくとも一つのデバイス３００−２、３００−３、３００−４．．．３００−ｎのそれぞれは、抽出された設定情報を利用して少なくとも一つのデバイス３００−２、３００−３、３００−４．．．３００−ｎのそれぞれを制御する制御信号を生成する（Ｓ１４０３）。そして、少なくとも一つのデバイス３００−２、３００−３、３００−４．．．３００−ｎのそれぞれは、生成された制御信号に応じて動作する（Ｓ１４０４）。
【０１６１】
図１５は、クラウドサーバを利用して少なくとも一つのデバイスを制御する方法を説明するタイミング図である。図１５に示すように、ユーザ端末装置２００がユーザ識別情報をクラウドサーバ４００に送信する（Ｓ１５０１）。この場合、ユーザ識別情報は、クラウドサーバと接続した装置と近距離アクセスを行うと、クラウドサーバ４００にユーザ識別情報を送信できる。例えば、特定の外部が会社である場合を例に挙げて説明する。この場合、会社には、ユーザ端末装置２００と近距離アクセスを行うことができる装置が備えられることができ、この場合、ユーザは、ユーザ端末装置２００を装置に接近させることによって、ユーザ識別情報をクラウドサーバ４００に送信できる。またはユーザ端末装置２００は、３Ｇ、４Ｇのような移動通信網、ＷｉＦＩ等を介してユーザ識別情報をクラウドサーバ４００に送信できる。この場合、クラウドサーバ４００は、ユーザ識別情報に対応する設定情報を抽出する（Ｓ１５０２）。そして、クラウドサーバ４００は、抽出された設定情報を管理サーバ１００に送信する（Ｓ１５０３）。
【０１６２】
この場合、管理サーバ１００は、受信された設定情報を利用して少なくとも一つのデバイス３００−２、３００−３、３００−４．．．３００−ｎを制御する制御信号を送信する（Ｓ１５０４）。これにより、少なくとも一つのデバイス３００−２、３００−３、３００−４．．．３００−ｎは、管理サーバ１００から受信された制御信号に応じて動作する（Ｓ１５０５）。
【０１６３】
ただし、図１５を説明するにおいて、デバイス３００−２、３００−３、３００−４．．．３００−ｎが管理サーバを介して制御信号を受信すると説明したが、クラウドサーバ４００が少なくとも一つのデバイス３００−２、３００−３、３００−４．．．３００−ｎに直接設定情報を送信できる。
【０１６４】
一方、図１５では、ユーザ端末装置２００がクラウドサーバ４００にユーザ識別情報を送信する場合を説明したが、これに限定されるものではない。したがって、ユーザ端末装置２００が管理サーバ１００と近距離アクセスする場合、管理サーバ１００は、ユーザ端末装置２００から受信されたユーザ識別情報をクラウドサーバ４００に送信できる。または、ユーザ端末装置２００がロック装置３００−１と近距離アクセスする場合、ロック装置３００−１は、ユーザ端末装置２００から受信されたユーザ識別情報をクラウドサーバ４００に送信できる。または、ユーザ端末装置２００が少なくとも一つのデバイス３００−２、３００−３、３００−４．．．３００−ｎと近距離アクセスする場合、少なくとも一つのデバイス３００−２、３００−３、３００−４．．．３００−ｎは、ユーザ端末装置２００から受信されたユーザ識別情報をクラウドサーバ４００に送信できる。
【０１６５】
図１６は、設定情報と関連したＵＲＬ情報を利用して外部サーバに接続した少なくとも一つのデバイスを制御する方法を説明するタイミング図である。ここで、外部サーバ５００は、ユーザが使用するドメイン内に位置してドメイン内に位置したデバイスを制御する管理サーバ１００とは別途のオブジェクトのサーバであって、管理サーバ１００の管理するドメインの外部に配置されたサーバを意味する。このような外部サーバ５００には、少なくとも一つのデバイスが接続されることができ、外部サーバ５００は、管理サーバ１００と同一に少なくとも一つのデバイスの管理を制御できる。
【０１６６】
図１６に示すように、ユーザ端末装置２００は、外部サーバ５００との近距離アクセスを介して「管理サーバ１００に設定情報が格納されたアドレスに対するＵＲＬ情報」を外部サーバ５００に送信する（Ｓ１６０１）。
【０１６７】
そして、外部サーバ５００は、受信されたＵＲＬ情報を利用して管理サーバ１００に接続を要請する（Ｓ１６０２）。
【０１６８】
そして、管理サーバ１００は、外部サーバ５００の接続許容有無を判断して、接続が承認された場合、接続承認を外部サーバ５００に知らせる（Ｓ１６０３）。この場合、外部サーバ５００は、ＵＲＬ情報を利用して管理サーバ１００に格納された設定情報を受信する（Ｓ１６０４）。そして、外部サーバ１００は、受信された設定情報を利用して外部サーバ５００に接続したデバイスを制御する制御信号を生成する（Ｓ１６０５）。そして、外部サーバ５００は、生成された制御信号を利用して外部サーバ５００に接続したデバイスを制御する（Ｓ１６０６）。
【０１６９】
これにより、ユーザが使用するドメイン内のデバイスに対する設定情報を外部ドメイン内のデバイスに適用して使用することができる。
【０１７０】
図１７ないし１９は、少なくとも一つのデバイスの使用に応じて更新された設定情報を管理サーバに格納する方法を説明するタイミング図である。ここで、図１７ないし図１９の近距離アクセスは、図５ないし図１６による１次近距離アクセスが行われた以後に行われる２次近距離アクセスでありうる。
【０１７１】
図１７に示すように、少なくとも一つのデバイス３００−２、３００−３、３００−４．．．３００−ｎは、ユーザの使用に応じて設定情報を更新する（Ｓ１７０１）。そして、少なくとも一つのデバイス３００−２、３００−３、３００−４．．．３００−ｎは、更新された設定情報を管理サーバ１００に送信する（Ｓ１７０２）。ここで、設定情報は、更新時ごとに、管理サーバ１００に送信されることができる。
【０１７２】
これにより、管理サーバ１００は、更新された設定情報を利用して少なくとも一つのデバイスをモニターリングする（Ｓ１７０３）。
【０１７３】
一方、ユーザ端末装置２００は、ロック装置３００−１との近距離アクセスを介して権限情報及びユーザ識別情報をロック装置３００−１に送信する（Ｓ１７０４）。
【０１７４】
この場合、ロック装置３００−１は、ユーザ端末装置２００から受信されたユーザ端末装置２００の権限情報が管理サーバ１００の管理するドメインに接近が可能な権限情報であるかどうかを認証する（Ｓ１７０５）。
【０１７５】
管理サーバ１００の管理するドメインに接近が可能な権限情報である場合、ロック装置３００−１は、ロックを設定する（Ｓ１７０６）。そして、ロック装置３００−１は、管理サーバ１００にロックが設定されたことを知らせる（Ｓ１７０７）。
【０１７６】
この場合、管理サーバ１００は、最後に更新された設定情報をユーザ識別情報にマッピングして格納する（Ｓ１７０８）。それにより、少なくとも一つのデバイス３００−２、３００−３、３００−４、…、３００−ｎ）の更新された設定情報はユーザＩＤに関連してよい。
【０１７７】
ただし、図１７を説明するにおいて、ロック装置３００−１が権限情報を認証すると説明したが、場合によっては、ロック装置３００−１は、権限情報及び設定情報を管理サーバ１００に伝達する媒介体としての役割だけを行うことができる。この場合、管理サーバ１００は、権限情報認証を行い、権限情報が認証されると、ロックを設定するようにロック装置３００−１を制御できる。
【０１７８】
図１８に示すように、少なくとも一つのデバイス３００−２、３００−３、３００−４．．．３００−ｎは、ユーザの使用に応じて設定情報を更新する（Ｓ１８０１）。そして、少なくとも一つのデバイス３００−２、３００−３、３００−４．．．３００−ｎは、更新された設定情報を管理サーバ１００に送信する（Ｓ１８０２）。ここで、設定情報は、更新時ごとに、管理サーバ１００に送信されることができる。
【０１７９】
これにより、管理サーバ１００は、更新された設定情報を利用して少なくとも一つのデバイスをモニターリングする（Ｓ１８０３）。
【０１８０】
一方、ユーザ端末装置２００は、管理サーバ１００との直接近距離アクセスを介してユーザ識別情報を管理サーバ１００に送信する（Ｓ１８０４）。
【０１８１】
この場合、管理サーバ１００は、最後に更新された設定情報をユーザ識別情報にマッピングして格納する（Ｓ１８０５）。それにより、少なくとも一つのデバイス３００−２、３００−３、３００−４、…、３００−ｎ）の更新された設定情報はユーザＩＤに関連してよい。
【０１８２】
図１９に示すように、少なくとも一つのデバイス３００−２、３００−３、３００−４．．．３００−ｎは、ユーザの使用に応じて設定情報を更新する（Ｓ１９０１）。そして、少なくとも一つのデバイス３００−２、３００−３、３００−４．．．３００−ｎは、更新された設定情報を管理サーバ１００に送信する（Ｓ１９０２）。ここで、設定情報は、更新時ごとに、管理サーバ１００に送信されることができる。
【０１８３】
これにより、管理サーバ１００は、更新された設定情報を利用して少なくとも一つのデバイスをモニターリングする（Ｓ１９０３）。
【０１８４】
一方、ユーザ端末装置２００は、少なくとも一つのデバイス３００−２、３００−３、３００−４．．．３００−ｎとの近距離アクセスを介してユーザ識別情報を少なくとも一つのデバイス３００−２、３００−３、３００−４．．．３００−ｎに送信する（Ｓ１９０４）。この場合、少なくとも一つのデバイス３００−２、３００−３、３００−４．．．３００−ｎは、受信されたユーザ識別情報を管理サーバ１００に送信する（Ｓ１９０５）。
【０１８５】
この場合、管理サーバ１００は、最後に更新された設定情報をユーザ識別情報にマッピングして格納する（Ｓ１９０６）。それにより、少なくとも一つのデバイス３００−２、３００−３、３００−４、…、３００−ｎ）の更新された設定情報はユーザＩＤに関連してよい。
【０１８６】
図２０ないし２２は、少なくとも一つのデバイスの使用に応じて更新された設定情報を多様な装置に格納する方法を説明するタイミング図である。ここで、図２０ないし図２２の近距離アクセスは、図５ないし図１６による１次近距離アクセスが行われた以後に行われる２次近距離アクセスでありうる。
【０１８７】
図２０に示すように、少なくとも一つのデバイス３００−２、３００−３、３００−４．．．３００−ｎは、ユーザの使用に応じて設定情報を更新する（Ｓ２００１）。そして、少なくとも一つのデバイス３００−２、３００−３、３００−４．．．３００−ｎは、更新された設定情報を管理サーバ１００に送信する（Ｓ２００２）。ここで、設定情報は、更新時ごとに、管理サーバ１００に送信されることができる。
【０１８８】
これにより、管理サーバ１００は、更新された設定情報を利用して少なくとも一つのデバイスをモニターリングする（Ｓ２００３）。
【０１８９】
一方、ユーザ端末装置２００は、ロック装置３００−１との近距離アクセスを介して権限情報及びユーザ識別情報をロック装置３００−１に送信する（Ｓ２００４）。
【０１９０】
この場合、ロック装置３００−１は、ユーザ端末装置２００から受信されたユーザ端末装置２００の権限情報が管理サーバ１００の管理するドメインに接近が可能な権限情報であるかどうかを認証する（Ｓ２００５）。
【０１９１】
管理サーバ１００の管理するドメインに接近が可能な権限情報である場合、ロック装置３００−１は、ロックを設定する（Ｓ２００６）。そして、ロック装置３００−１は、管理サーバ１００にロックが設定されたことを知らせる（Ｓ２００７）。
【０１９２】
この場合、管理サーバ１００は、最後に更新された設定情報をロック装置３００−１に送信する（Ｓ２００８）。この場合、ロック装置３００−１は、最後に更新された設定情報をユーザ識別情報にマッピングして格納する（Ｓ２００９）。それにより、少なくとも一つのデバイス３００−２、３００−３、３００−４、…、３００−ｎ）の更新された設定情報はユーザＩＤに関連してよい。
【０１９３】
図２１に示すように、少なくとも一つのデバイス３００−２、３００−３、３００−４．．．３００−ｎは、ユーザの使用に応じて設定情報を更新する（Ｓ２１０１）。そして、少なくとも一つのデバイス３００−２、３００−３、３００−４．．．３００−ｎは、更新された設定情報を管理サーバ１００に送信する（Ｓ２１０２）。ここで、設定情報は、更新時ごとに、管理サーバ１００に送信されることができる。
【０１９４】
これにより、管理サーバ１００は、更新された設定情報を利用して少なくとも一つのデバイスをモニターリングする（Ｓ２１０３）。
【０１９５】
一方、ユーザ端末装置２００は、ロック装置３００−１との近距離アクセスを介して権限情報及びユーザ識別情報をロック装置３００−１に送信する（Ｓ２１０４）。
【０１９６】
この場合、ロック装置３００−１は、ユーザ端末装置２００から受信されたユーザ端末装置２００の権限情報が管理サーバ１００の管理するドメインに接近が可能な権限情報であるかどうかを認証する（Ｓ２１０５）。
【０１９７】
管理サーバ１００の管理するドメインに接近が可能な権限情報である場合、ロック装置３００−１は、ロックを設定する（Ｓ２１０６）。そして、ロック装置３００−１は、管理サーバ１００にロックが設定されたことを知らせる（Ｓ２１０７）。
【０１９８】
この場合、管理サーバ１００は、最後に更新された設定情報をユーザ識別情報にマッピングして格納することを少なくとも一つのデバイス３００−２、３００−３、３００−４．．．３００−ｎに指示する制御信号を少なくとも一つのデバイス３００−２、３００−３、３００−４．．．３００−ｎに送信する（Ｓ２１０８）。
【０１９９】
この場合、少なくとも一つのデバイス３００−２、３００−３、３００−４．．．３００−ｎは、最後に更新された設定情報をユーザ識別情報にマッピングして格納する（Ｓ２１０９）。それにより、少なくとも一つのデバイス３００−２、３００−３、３００−４、…、３００−ｎ）の更新された設定情報はユーザＩＤに関連してよい。
【０２００】
図２２に示すように、少なくとも一つのデバイス３００−２、３００−３、３００−４．．．３００−ｎは、ユーザの使用に応じて設定情報を更新する（Ｓ２２０１）。そして、少なくとも一つのデバイス３００−２、３００−３、３００−４．．．３００−ｎは、更新された設定情報を管理サーバ１００に送信する（Ｓ２２０２）。ここで、設定情報は、更新時ごとに、管理サーバ１００に送信されることができる。
【０２０１】
これにより、管理サーバ１００は、更新された設定情報を利用して少なくとも一つのデバイスをモニターリングする（Ｓ２２０３）。
【０２０２】
一方、ユーザ端末装置２００は、ロック装置３００−１との近距離アクセスを介して権限情報及びユーザ識別情報をロック装置３００−１に送信する（Ｓ２２０４）。
【０２０３】
この場合、ロック装置３００−１は、ユーザ端末装置２００から受信されたユーザ端末装置２００の権限情報が管理サーバ１００の管理するドメインに接近が可能な権限情報であるかどうかを認証する（Ｓ２２０５）。
【０２０４】
管理サーバ１００の管理するドメインに接近が可能な権限情報である場合、ロック装置３００−１は、ロックを設定する（Ｓ２２０６）。そして、ロック装置３００−１は、管理サーバ１００にロックが設定されたことを知らせる（Ｓ２２０７）。
【０２０５】
この場合、管理サーバ１００は、最後に更新された設定情報をロック装置３００−１に送信する（Ｓ２２０８）。そして、ロック装置３００−１は、最後に更新された設定情報をユーザ端末装置２００に送信する（Ｓ２２０９）。
【０２０６】
この場合、ユーザ端末装置２００は、最後に更新された設定情報をユーザ識別情報にマッピングして格納する（Ｓ２２１０）。それにより、少なくとも一つのデバイス３００−２、３００−３、３００−４、…、３００−ｎ）の更新された設定情報はユーザＩＤに関連してよい。
【０２０７】
ただし、上述した少なくとも一つのデバイスの使用に応じて更新された設定情報を多様な装置に格納する方法は、図１８ないし１９に説明した状況にも適用されることができる。
【０２０８】
一方、更新された設定情報は、ユーザ端末装置２００に格納されることができる。この場合、ユーザ端末装置２００は、ロック装置３００−１、管理サーバ１００及び少なくとも一つのデバイス３００−２、３００−３、３００−３、．．．３００−ｎとの近距離アクセスを介して更新された設定情報を受信することができる。
【０２０９】
図２３ないし２５は、本発明の一実施形態にかかるホームドメイン管理システムの制御方法を示す図である。図２３（ａ）に示すように、ユーザがホームに進入するために、ユーザ端末装置２００をロック装置３００−１と近距離アクセスできる。この場合、ユーザ端末装置２００は、ロック装置３００−１を解除できる権限情報を送信でき、これにより、ロック装置３００−１は、ロックを解除できる。
【０２１０】
また、ユーザ端末装置２００は、近距離アクセスを介してホーム内の少なくとも一つのデバイスを設定情報に応じて動作させるためのユーザ識別情報を送信できる。
【０２１１】
この場合、ロック装置３００−１は、ユーザ識別情報を管理サーバ１００に送信できる。そして、管理サーバ１００は、ユーザ識別情報に対応する設定情報を抽出できる。また、管理サーバ１００は、抽出された設定情報を利用してホーム内の少なくとも一つのデバイス３００−２、３００−３、３００−４を制御する制御信号を少なくとも一つのデバイス３００−２、３００−３、３００−４に送信できる。
【０２１２】
ただし、ユーザ端末装置２００がホーム内の少なくとも一つのデバイスに対する設定情報を格納している場合、ユーザ端末装置２００は、近距離アクセスを介して権限情報及びホーム内の少なくとも一つのデバイスに対する設定情報を送信できる。
【０２１３】
この場合、ロック装置３００−１は、設定情報を管理サーバ１００に送信できる。そして、管理サーバ１００は、受信された設定情報を利用してデバイスを制御する制御信号を少なくとも一つのデバイス３００−２、３００−３、３００−４に送信できる。
【０２１４】
上述したように、制御信号が送信されると、図２３（ｂ）のように、ホーム内のデバイス３００−２、３００−３、３００−４は、抽出された設定情報に応じて動作できる。例えば、ＴＶの場合に、設定情報は、テレビを構成する構成情報であってよく、テレビは、ＯＮになり、チャネルがＣＨ１１に合わせられて、音量が合わせられることができる。また、洗濯機の場合に、設定情報は洗濯機を構成する構成情報であってよく、洗濯機はＯＮになり、洗濯が行われることができる。また、クーラーの場合に、設定情報はクーラーを構成する構成情報であってよく、クーラーはＯＮになり、温度及び風量が調節されうる。
【０２１５】
ただし、図２３を説明するにおいて、ロック装置３００−１が権限情報を認証すると説明したが、場合によっては、ロック装置３００−１は、権限情報及び設定情報を管理サーバ１００に伝達する媒介体としての役割だけを行うことができる。この場合、管理サーバ１００は、権限情報認証を行い、権限情報が認証されると、ロックを設定するようにロック装置３００−１を制御できる。また、ロック装置３００−１がサーバ機能を果たす場合には、別途の管理サーバ１００は要らなくなりうる。
【０２１６】
図２４（ａ）に示すように、ユーザがホームに進入して、ユーザ端末装置２００をホーム内の少なくとも一つのデバイス３００−２、３００−３、３００−４と近距離アクセスできる。この場合、ユーザ端末装置２００は、ホーム内の少なくとも一つのデバイス３００−２、３００−３、３００−４を設定情報に応じて動作させるためのユーザ識別情報を近距離アクセスされたデバイス３００−２、３００−３、３００−４に送信できる。
【０２１７】
この場合、近距離アクセスされたデバイス３００−２、３００−３、３００−４は、ユーザ識別情報を管理サーバ１００に送信できる。そして、管理サーバ１００は、ユーザ識別情報に対応する設定情報を抽出できる。また、管理サーバ１００は、抽出された設定情報を利用して近距離アクセスされたデバイス３００−２、３００−３、３００−４に制御信号を送信できる。
【０２１８】
ただし、ユーザ端末装置２００がホーム内の少なくとも一つのデバイス３００−２、３００−３、３００−４に対する設定情報を格納している場合、ユーザ端末装置２００は、近距離アクセスを介してホーム内の少なくとも一つのデバイス３００−２、３００−３、３００−４に対する設定情報を近距離アクセスされたデバイス３００−２、３００−３、３００−４に送信できる。
【０２１９】
この場合、近距離アクセスされたデバイス３００−２、３００−３、３００−４は、受信された設定情報を管理サーバ１００に送信できる。そして、管理サーバ１００は、受信された設定情報から近距離アクセスされたデバイス３００−２、３００−３、３００−４に対応する設定情報を検出し、検出された設定情報に応じて動作するように制御信号を近距離アクセスされたデバイス３００−２、３００−３、３００−４に送信できる。ただし、場合によっては、近距離アクセスされたデバイス３００−２、３００−３、３００−４から受信された設定情報のうち、必要な設定情報を検出できる。この場合、近距離アクセスされたデバイス３００−２、３００−３、３００−４は、別途の管理サーバ１００の制御無しで検出された設定情報に応じて動作できる。
【０２２０】
上述したように、制御信号が送信されると、図２４（ｂ）のように、近距離アクセスされたデバイス３００−２、３００−３、３００−４は、抽出された設定情報に応じて動作できる。例えば、ＴＶの場合にＯＮになり、チャネルがＣＨ１１に合わせられ、音量が合わせられることができる。
【０２２１】
図２５（ａ）に示すように、ユーザがホームに進入して、ユーザ端末装置２００を管理サーバ１００と近距離アクセスできる。この場合、ユーザ端末装置２００は、ホーム内の少なくとも一つのデバイス３００−２、３００−３、３００−４を設定情報に応じて動作させるためのユーザ識別情報を管理サーバ１００に送信できる。
【０２２２】
この場合、管理サーバ１００は、ユーザ識別情報に対応する設定情報を抽出できる。また、管理サーバ１００は、抽出された設定情報を利用して近距離アクセスされたデバイス３００−２、３００−３、３００−４に制御信号を送信できる。
【０２２３】
ただし、ユーザ端末装置２００がホーム内の少なくとも一つのデバイス３００−２、３００−３、３００−４に対する設定情報を格納している場合、ユーザ端末装置２００は、近距離アクセスを介してホーム内の少なくとも一つのデバイス３００−２、３００−３、３００−４に対する設定情報を管理サーバ１００に送信できる。
【０２２４】
この場合、管理サーバ１００は、受信された設定情報を利用してデバイス３００−２、３００−３、３００−４を制御する制御信号を少なくとも一つのデバイス３０２、３０３、３０４に送信できる。
【０２２５】
上述したように制御信号が送信されると、図２４（ｂ）のように、ホーム内のデバイス３０２、３０３、３０４は、抽出された設定情報に応じて動作できる。例えば、ＴＶの場合にＯＮになり、チャネルがＣＨ１１に合わせられ、音量が合わせられることができる。また、洗濯機の場合にＯＮになり、洗濯が行われることができる。また、クーラーの場合にＯＮになり、温度及び風量が調節されることができる。
【０２２６】
図２６ないし２８は、本発明の一実施形態にかかる自動車ドメイン管理システムを示す図である。図２６（ａ）に示すように、ユーザが自動車に進入するために、ユーザ端末装置２００をロック装置３００−１と近距離アクセスできる。この場合、ユーザ端末装置２００は、ロック装置３００−１を解除できる権限情報を送信でき、これにより、ロック装置３００−１は、ロックを解除できる。
【０２２７】
また、ユーザ端末装置２００は、近距離アクセスを介して自動車内の少なくとも一つのデバイスを設定情報に応じて動作させるためのユーザ識別情報を送信できる。
【０２２８】
この場合、ロック装置３００−１は、ユーザ識別情報を管理サーバ１００に送信できる。そして、管理サーバ１００は、ユーザ識別情報に対応する設定情報を抽出できる。また、管理サーバ１００は、抽出された設定情報を利用して自動車内の少なくとも一つのデバイスを制御する制御信号を少なくとも一つのデバイスに送信できる。
【０２２９】
ただし、ユーザ端末装置２００が自動車内の少なくとも一つのデバイスに対する設定情報を格納している場合、ユーザ端末装置２００は、近距離アクセスを介して権限情報及び自動車内の少なくとも一つのデバイスに対する設定情報を送信できる。
【０２３０】
この場合、ロック装置３００−１は、設定情報を管理サーバ１００に送信できる。そして、管理サーバ１００は、受信された設定情報を利用してデバイスを制御する制御信号を少なくとも一つのデバイスに送信できる。
【０２３１】
上述したように、制御信号が送信されると、図２６（ｂ）のように、自動車内のデバイスは、抽出された設定情報に応じて動作できる。例えば、設定情報はハンドルまたは椅子の構成を含んでよく、制御信号は、ハンドルの高さが調節され、椅子の背もたれの勾配、椅子の高さ、椅子の位置などが調節されるように制御してよい。
【０２３２】
ただし、図２６を説明するにおいて、ロック装置３００−１が権限情報を認証すると説明したが、場合によっては、ロック装置３００−１は、権限情報及び設定情報を管理サーバ１００に伝達する媒介体としての役割だけを行うことができる。この場合、管理サーバ１００は、権限情報認証を行い、権限情報が認証されると、ロックを設定するようにロック装置３００−１を制御できる。また、ロック装置３００−１がサーバ機能を果たす場合には、別途の管理サーバ１００は要らなくなる。
【０２３３】
図２７（ａ）に示すように、ユーザが自動車内に進入して、ユーザ端末装置２００を自動車内の少なくとも一つのデバイス３００−２、３００−３、３００−４、…３００−ｎと近距離アクセスできる。この場合、ユーザ端末装置２００は、自動車内の少なくとも一つのデバイス３００−２、３００−３、３００−４、…３００−ｎを設定情報に応じて動作させるためのユーザ識別情報を近距離アクセスされたデバイス３００−２、３００−３、３００−４、…３００−ｎに送信できる。
【０２３４】
この場合、近距離アクセスされたデバイス３００−２、３００−３、３００−４、…３００−ｎは、ユーザ識別情報を管理サーバ１００に送信できる。そして、管理サーバ１００は、ユーザ識別情報に対応する設定情報を抽出できる。また管理サーバ１００は、抽出された設定情報を利用して近距離アクセスされたデバイス３００−２、３００−３、３００−４、…３００−ｎに制御信号を送信できる。
【０２３５】
ただし、ユーザ端末装置２００が自動車内の少なくとも一つのデバイス３００−２、３００−３、３００−４、…３００−ｎに対する設定情報を格納している場合、ユーザ端末装置２００は、近距離アクセスを介してホーム内の少なくとも一つのデバイス３００−２、３００−３、３００−４、…３００−ｎに対する設定情報を近距離アクセスされたデバイス３００−２、３００−３、３００−４、…３００−ｎに送信できる。
【０２３６】
この場合、近距離アクセスされたデバイス３００−２、３００−３、３００−４、…３００−ｎは、受信された設定情報を管理サーバ１００に送信できる。そして管理サーバ１００は、受信された設定情報から近距離アクセスされたデバイス３００−２、３００−３、３００−４、…３００−ｎに対応する設定情報を検出し、検出された設定情報に応じて動作するように制御信号を近距離アクセスされたデバイス３００−２、３００−３、３００−４、…３００−ｎに送信できる。ただし、場合によっては、近距離アクセスされたデバイス３００−２、３００−３、３００−４、…３００−ｎから受信された設定情報のうち、必要な設定情報を検出できる。この場合、近距離アクセスされたデバイス３００−２、３００−３、３００−４、…３００−ｎは、別途の管理サーバ１００の制御無しで検出された設定情報に応じて動作できる。
【０２３７】
上述したように、制御信号が送信されると、図２７（ｂ）のように、近距離アクセスされたデバイス３００−２、３００−３、３００−４、…３００−ｎは、抽出された設定情報に応じて動作できる。例えば、近距離アクセスされたハンドル３００−３の位置、ハンドルの高低が調節されることができる。または、椅子３００−２の位置、ラジオ３００−４のセッティングまたはナビゲーション３００−５のセッティングが設定されてよい。
【０２３８】
図２８（ａ）に示すように、ユーザが自動車内に進入して、ユーザ端末装置２００を管理サーバ１００と近距離アクセスできる。この場合、ユーザ端末装置２００は、自動車内の少なくとも一つのデバイス３００−２、３００−３、３００−４、…３００−ｎを設定情報に応じて動作させるためのユーザ識別情報を管理サーバ１００に送信できる。
【０２３９】
この場合、管理サーバ１００は、ユーザ識別情報に対応する設定情報を抽出できる。また、管理サーバ１００は、抽出された設定情報を利用して近距離アクセスされたデバイス３００−２、３００−３、３００−４、…３００−ｎ に制御信号を送信できる。
【０２４０】
ただし、ユーザ端末装置２００が自動車内の少なくとも一つのデバイス３００−２、３００−３、３００−４、…３００−ｎ に対する設定情報を格納している場合、ユーザ端末装置２００は、近距離アクセスを介して自動車内の少なくとも一つのデバイス３００−２、３００−３、３００−４、…３００−ｎ に対する設定情報を管理サーバ１００に送信できる。
【０２４１】
この場合、管理サーバ１００は、受信された設定情報を利用してデバイスを制御する制御信号を少なくとも一つのデバイス３００−２、３００−３、３００−４、…３００−ｎ に送信できる。
【０２４２】
上述したように、制御信号が送信されると、図２８（ｂ）のように、自動車内のデバイス３００−２、３００−３、３００−４、…３００−ｎ は、抽出された設定情報に応じて動作できる。例えば、ハンドル３００−３の場合、ハンドルの高さが調節され、椅子の背もたれの勾配、椅子の高さ、椅子３００−２の位置が調節され、ナビゲーション３００−５は、ＯＮになって抽出された設定情報に対応するＧＵＩ及び明るさなどで画面を表示し、オーディオ３００−４は、抽出された設定情報に対応するボリウム、ラジオチャネル、歌などを提供できる。
【０２４３】
図２９は、本発明の一実施形態にかかる注文方法を示す図である。図２９（ａ）に示すように、ユーザは、コーヒーの売り場に進入して「アメリカーノ」を注文できる。その後、ユーザは、ユーザ端末装置２００と近距離無線通信リーダ及びタグの設置されたレジと近距離アクセスを介して注文情報を受信することができる。この場合、図２９（ｂ）のように、ユーザ端末装置２００は、ユーザ注文情報を表示できる。
【０２４４】
また、ユーザ端末装置２００と近距離無線通信リーダ及びタグが設置されたレジと近距離アクセスされると、レジは、ユーザ識別情報を管理サーバに送信できる。そして、管理サーバ１００は、ユーザ注文情報を曜日別に、天気別に、最近に注文したメニュー別に分類し、ユーザ識別情報にマッピングして格納することができる。
【０２４５】
その後、ユーザは、図２９（ｃ）のように、新しい売り場に進入してユーザ端末装置２００と近距離無線通信リーダ及びタグが設置されたレジと近距離アクセスを介して注文できる。この場合、レジは、ユーザ識別情報を管理サーバ１００に送信できる。そして、管理サーバ１００は、ユーザ識別情報に対応するユーザ注文情報を予め設定された分類条件を利用して抽出できる。
【０２４６】
例えば、分類条件が曜日で、注文日が月曜日の場合、管理サーバ１００は、月曜日に最も多く飲んだコーヒーをユーザ識別情報に対応するユーザ注文情報として抽出できる。また、分類条件が天気で、注文当時の天気が雨の降る日の場合、管理サーバ１００は、ユーザが雨の降る日に最も多く飲んだコーヒーをユーザ識別情報に対応するユーザ注文情報として抽出できる。また、分類条件が最近に注文した情報である場合、管理サーバ１００は、最も最後に注文したコーヒーをユーザ識別情報に対応するユーザ注文情報として抽出できる。
【０２４７】
その後、図２９（ｄ）のようにレジは、抽出されたユーザ注文情報を表示できる。これにより、ユーザは、容易に望むメニューを注文できる。ただし、これに限定されるものではなく、売り場が自動化システムになっている場合、コーヒーマシンは、サーバの制御下で「アメリカノー」を自動的に作って提供できる。
【０２４８】
ただし、上述した例示に限定されるものではなく、上述した注文方法は、飲食店、デパートなど物を注文できる多様な場所に使用されることができる。また、近距離無線通信リーダ及びタグが内蔵するオブジェクトは、多様なオブジェクトになることができる。
【０２４９】
図３０は、図４によるユーザ端末装置を示すブロック図である。図３０に示すように、ユーザ端末装置５００は、ディスプレイ部５１０、感知部５２０、制御部５３０、格納部５４０、通信部５５０、音声認識部５６０、モーション認識部５７０、スピーカー５８０、外部入力ポート５９０−１〜５９０−ｎ、電源部５９５の全てまたは一部を備える。ここで、通信部５５０は、図４の通信部２１０の機能を行うことができ、格納部５４０は、図４の格納部２２０の機能を行うことができ、制御部５３０は、図４の制御部２３０の機能を行うことができる。これにより、図３０を説明するにおいて、図４に説明されたユーザ端末装置の既説明の動作についての具体的な説明は省略する。
【０２５０】
感知部５２０は、ユーザ端末装置５００の動作に必要な多様な状態を感知する。図３０によれば、感知部５２０は、タッチセンサ５２１、地磁気センサ５２２、加速度センサ５２３、ベンドセンサ５２４、圧力センサ５２５、近接センサ５２６、グリップセンサ５２７などのような多様な類型のセンサの全てまたは一部を備えることができる。
【０２５１】
タッチセンサ５２１は、静電容量式または減圧式により具現化されることができる。静電容量式は、ディスプレイ部５１０の表面にコーティングされた誘電体を利用して、ユーザの身体の一部がディスプレイ部５１０の表面にタッチされたとき、ユーザの人体に励起される微細電気を感知してタッチ座標を算出する方式である。減圧式は、二つの電極板を有し、ユーザが画面をタッチした場合、タッチされた地点の上下板が接触して電流が流れるようになるのを感知してタッチ座標を算出する方式である。以上のように、タッチセンサ５２１は、多様な形態で具現化されることができる。
【０２５２】
地磁気センサ５２２は、ユーザ端末装置５００の回転状態及び移動方向などを感知するためのセンサで、加速度センサ５２３は、ユーザ端末装置５００の傾いた程度を感知するためのセンサである。上述したように、地磁気センサ５２２及び加速度センサ５２３は、それぞれユーザ端末装置５００のベンディング方向やベンディング領域などのようなベンディング特性を検出するための用途として使用されることができるが、これと別に、ユーザ端末装置５００の回転状態または勾配状態などを検出するための用途として使用されることができる。
【０２５３】
ベンドセンサ５２４は、ユーザ端末装置５００がフレキシブルディスプレイ装置により具現化される場合に必要なセンサであって、ユーザ端末装置５００のベンディング状態を感知できる。
【０２５４】
圧力センサ５２５は、ユーザがタッチまたはベンディング操作をするとき、ユーザ端末装置５００に加えられる圧力の大きさを感知して制御部５３０に提供する。圧力センサ５２５は、ディスプレイ部５１０に内蔵されて圧力の大きさに対応する電気信号を出力する圧電フィルム（ｐｉｅｚｏ  ｆｉｌｍ）を有することができる。図３０では、圧力センサ５２５をタッチセンサ５２１と別に示しているが、タッチセンサ５２１が減圧式タッチセンサで具現化された場合、その減圧式タッチセンサは圧力センサ５５０としての機能も行うことができる。
【０２５５】
近接センサ５２６は、ディスプレイの表面に直接接触されずに接近するモーションを感知するためのセンサである。近接センサ５２６は、高周波磁界を形成して、物体の接近時に変化する磁界特性により誘導される電流を感知する高周波発振型、磁石を利用する磁気型、対象体の接近により変化する静電容量を感知する静電容量型のような多様な形態のセンサで具現化されることができる。
【０２５６】
グリップセンサ５２７は、圧力センサ５２５とは別にユーザ端末装置５００の枠や取っ手部分に配置されて、ユーザのグリップ（grip）を感知するセンサである。グリップセンサ５２７は、圧力センサやタッチセンサで具現化されることができる。
【０２５７】
制御部５３０は、感知部５２０で感知された各種の感知信号を分析して、ユーザの入力を把握し、ユーザ入力に符合する動作を行う。
【０２５８】
制御部５３０において行われる動作の一例では、外部機器との通信を介して獲得したデータまたは格納部５４０に格納されたデータを処理してディスプレイ部５１０及びスピーカー５８０などを介して出力する動作を行うことができる。この場合、制御部５３０は、通信部５５０を利用して外部機器と通信を行うことができる。
【０２５９】
通信部５５０は、多様な類型の通信方式に従って多様な類型の外部機器と通信を行う構成である。通信部５５０は、放送受信モジュール５５１、近距離無線通信モジュール５５２、ＧＰＳモジュール５５３、無線通信モジュール５５４などのような多様な通信モジュールの全てまたは一部を備えることができる。ここで、放送受信モジュール５５１とは、地上波放送信号を受信するためのアンテナ、復調器、等化器などを有する地上波放送受信モジュール（図示せず）、ＤＭＢ放送信号を受信して処理するためのＤＭＢモジュールなどを備えることができる。近距離無線通信モジュール５５２とは、ＮＦＣやブルートゥース、ジグビー方式などのような近距離無線通信方式に従って、近距離に位置した外部機器と通信を行うためのモジュールである。ＧＰＳモジュール５５３とは、ＧＰＳ衛星からＧＰＳ信号を受信して、ユーザ端末装置５００の現在位置を検出するためのモジュールである。無線通信モジュール５５４とは、ＷｉＦｉ、ＩＥＥＥなどのような無線通信プロトコルに従って外部ネットワークに接続して通信を行うモジュールである。この他に、通信モジュール５５２は、３Ｇ（3rd Generation）、３ＧＰＰ（3rd Generation Partnership Project）、ＬＴＥ（Long Term Evolution）などのような多様な移動通信規格に従って移動通信網に接続して通信を行う移動通信モジュールをさらに備えることができる。
【０２６０】
制御部５３０は、上述した通信部５５０の各構成要素のうち、ユーザが意図した動作隨行に必要な構成要素を選択的に活性化させて、動作を行うことができる。
【０２６１】
一方、制御部５３０は、ベンディング操作やタッチ操作以外に音声入力やモーション入力を認識して、その入力に対応する動作を行うこともできる。この場合、音声認識部５６０またはモーション認識部５７０を活性化させることができる。
【０２６２】
音声認識部５６０は、マイク（図示せず）のような音声取得手段を利用してユーザの音声や外部音響を収集した後、制御部５３０に伝達する。制御部５３０は、音声制御モードで動作する場合、ユーザの音声が予め設定された音声コマンドと一致すると、ユーザの音声に対応するタスク（task）を行うことができる。音声を利用して制御可能なタスクには、ボリウム調節、チャネル選択、チャネルザッピング、表示属性調節、再生、一時停止、巻き戻し、早送り、アプリケーション実行、メニュー選択、装置ターンオン・ターンオフなどのように多様なタスクがありうる。
【０２６３】
一方、モーション認識部５７０は、カメラのようなイメージ撮像手段（図示せず）を利用してユーザのイメージを獲得した後、制御部５３０に提供する。モーション制御モードで動作する場合、制御部５３０は、ユーザのイメージを分析してユーザが予め設定されたモーションコマンドに対応するモーションジェスチャを取ったと判断されると、そのモーションジェスチャに対応する動作を行う。一例として、チャネルザッピング、装置ターンオン・ターンオフ、一時停止、再生、停止、巻き戻し、早送り、音消去などのような多様なタスクがモーションにより制御されることができる。音声で制御可能なタスク、モーションで制御可能なタスクなどに対する上述した例は、例示に過ぎないので、これに限定されない。
【０２６４】
その他に、外部入力ポート１，２〜ｎ５９０−１〜５９０−ｎは、それぞれ多様な類型の外部機器と接続して各種データやプログラム、制御命令などを受信することができる。具体的には、ＵＳＢポート、ヘッドセットポート、マウスポート、ＬＡＮポートなどを有することができる。
【０２６５】
電源部５９５は、ユーザ端末装置５００の各構成要素に電源を供給する構成要素である。
【０２６６】
一方、上述した制御部５３０は、ドメイン内の少なくとも一つのデバイス３００−２、３００−３、３００−３．．．３００−ｎに設定された現在設定情報に対するＵＩ画面、近距離アクセスによって少なくとも一つのデバイス３００−２、３００−３、３００−３．．．３００−ｎの設定情報が変更された場合に、変更された設定情報に対するＵＩ画面、少なくとも一つのデバイス３００−２、３００−３、３００−３．．．３００−ｎの設定情報を手動で変更するためのＵＩ画面を提供するように、ディスプレイ部５１０を制御できる。
【０２６７】
ここで、ＵＩ画面は、通信部５５０を介して管理サーバ２００またはクラウドサーバ４００から受信された少なくとも一つのデバイス３００−２、３００−３、３００−３．．．３００−ｎに対する設定情報を、ユーザ端末装置５００の格納部５４０に予め格納されたＵＩに反映して提供されることができる。
【０２６８】
または、ＵＩは、通信部５５０を介して管理サーバ１００またはクラウドサーバ４００から少なくとも一つのデバイス３００−２、３００−３、３００−３．．．３００−ｎに対する設定情報が反映されたＵＩを受信して提供されることができる。この場合、通信部５５０は、管理サーバ１００またはクラウドサーバ４００からＵＩスペック（ＧＵＩ）及びＵＩに該当するユーザ端末装置５００制御命令語も共に受信することができる。また、管理サーバ１００、クラウドサーバ４００と通信できる通信接続情報を受信することができる。このとき、通信接続情報は、特定通信手段（例えば、Ｗｉｆｉ等）で管理サーバ１００またはクラウドサーバ４００に接続するための暗号、通信プロトコル情報を含むことができる。このようなＵＩ画面については、図３１ないし４７を参照して具体的に説明する。
【０２６９】
一方、制御部５３０は、ユーザ端末装置５００の通信方式を変更できる。例えば、ＷｉＦｉ通信を使用していたユーザ端末装置５００がドメインに接近すると、３Ｇ通信方式を使用するように通信方式を変更できる。
【０２７０】
図３１ないし図４７は、本発明の他の実施形態にかかるユーザ端末装置の制御方法を説明するためのＵＩ図である。図３１ないし図４７において実線の矢印は、ユーザ入力による画面変化を意味し、点線の矢印は、自動変化を意味する。
【０２７１】
図３１ないし図３８は、ホームドメインまたはホテルドメインでユーザ端末装置に表示されうるＵＩ画面を示す図である。
【０２７２】
すなわち、ユーザが管理サーバ１００のドメインに接近できる権限情報を利用して管理サーバの管理するドメインに接近すると、図３１（ａ）のように、ドメイン内の少なくとも一つのデバイスに設定された現在設定情報を表示するＵＩ画面を表示できる。
【０２７３】
また、送信されたユーザ識別情報に対応する設定情報でドメイン内の少なくとも一つのデバイスが制御されと、図３１（ｂ）のように、少なくとも一つのデバイスに対する制御状態を表す画面を含むことができる。すなわち、「ＴＶ  Ｖｏｌｕｍｅ」及び「Ａｕｄｉｏ」がユーザ識別情報に対応する設定情報に自動的に変更された画面を表示できる。
【０２７４】
また、ユーザが少なくとも一つのデバイスに対する設定情報を手動で設定するために「Ｍｏｏｄ（３１０１）」を選択すると、図３１（ｃ）のように、受動設定画面を表示できる。仮に、受動設定画面においてユーザが少なくとも一つのデバイスに対する設定情報を変更すると、少なくとも一つのデバイスは、変更された設定情報が適用されることができる。この場合、ＵＩ画面は、変更された設定情報画面を表示できる。ここで、受動設定画面は、ユーザの趣向を考慮して多様に表示されることができる。一方、図３１（ｃ）のＵＩ画面において「Ｂａｃｋ（３１０２）」が選択されると、前の画面である図３１（ｂ）のＵＩ画面を表示できる。
【０２７５】
図３１を説明するにおいて、ＵＩ画面は、Ａｕｄｉｏ＆Ｖｉｄｅｏ、Ｌｉｇｈｔｓ、Ｄｅｖｉｃｅ  Ｃｏｎｔｒｏｌなどのカテゴリーに分類されてカテゴリーリスト形式で表示されたが、これに限定されるものではない。
【０２７６】
例えば、図３２のように、カテゴリーの分類無しで単純リスト形式で表示されることができる。仮に、図３２のように表示される場合、「Ｍｏｏｄ（３２０１）」、「Ｂａｃｋ（３２０２）」が選択されると、上述した図３１のような動作を行うことができる。
【０２７７】
また、図３３、図３４のようにイメージ形式で表示できる。
【０２７８】
すなわち、図３３、図３４のようにユーザのホームイメージをルーム別に表示できる。この場合、図３３（ｃ）のように、ホーム全体の現在設定情報である「Ｒｏｏｍ  Ｌｉｇｈｔ」を表示するＵＩ画面を表示できる。また、図３３（ｄ）のように、「Ｒｏｏｍ  Ｌｉｇｈｔ」がユーザ識別情報に対応する設定情報に自動的に変更された画面を表示できる。また、図３３（ｄ）のＵＩ画面において「Ｍｏｏｄ（３３０１）」が選択されると、図３３（ｅ）のような受動設定画面を表示できる。
【０２７９】
仮に、図３４（ｃ）のＵＩ画面において、一定領域３４０１が選択されると、少なくとも一つのルームを含むホーム全体の設定情報をセットするための図３４（ｃ）のような画面を表示できる。また、図３４（ｃ）のＵＩ画面において、各ルーム３４０２が選択されると、図３４（ｄ）のように、選択されたルームの設定情報を変更するための画面を表示できる。図３５は、少なくとも一つのデバイスに対する設定情報を手動で設定するためのＵＩを示す図である。すなわち、図３５（ｂ）のように、「ＴＶ  Ｖｏｌｕｍｅ」及び「Ａｕｄｉｏ」などの現在設定情報を表示した状態で、ユーザが「Ｍｏｏｄ（３５０１）」を選択すると、図３５（ａ）のように、受動設定画面を表示できる。ここで、ユーザが「Ｆｒｅｓｈ（３５０２）」を選択すると、図３５（ｃ）のように、「Ｆｒｅｓｈ」モードに対する設定情報を手動で変更できる画面を表示できる。仮に、図３５（ｃ）においてユーザが「ＯＫ（３５０５）」を選択すると、図３５（ｂ）の画面は、「Ｆｒｅｓｈ」モードに対応する設定情報に変更されることによって、変更された「ＴＶ  Ｖｏｌｕｍｅ」及び「Ａｕｄｉｏ」などの設定情報を表示する図３５（ｄ）のような画面に変更できる。
【０２８０】
一方、図３５（ｃ）においてユーザが「Ｍｏｏｄ（３５０３）」を選択すると、図３５（ａ）のような画面を表示できる。この場合、ユーザが図３５（ａ）のような画面において「ＯＫ（３５０４）」を選択すると、図３５（ｂ）の画面は、「Ｆｒｅｓｈ」モードに対応する設定情報に変更されることによって、変更された「ＴＶ  Ｖｏｌｕｍｅ」及び「Ａｕｄｉｏ」などの設定情報を表示する図３５（ｄ）のような画面に変更できる。
【０２８１】
また、ユーザに推薦する設定情報を見せることができる。例えば、図３５（ｂ）のように以前に宿泊したユーザである「Ｍｒ．Ｋｉｍ」の設定情報に変更できるように推薦する設定情報を表示（Ｈｏｍｅ  Ｓｅｔｔｉｎｇ？）でき、ホーム設定情報（Ｈｏｍｅ  Ｓｅｔｔｉｎｇ？）を薦めることができる。ここで、ユーザ端末装置５００は、推薦設定情報をＳＮＳを介して他のユーザ端末装置に送信できる。
【０２８２】
図３５を説明するにおいて、ＵＩ画面は、カテゴリーリスト形式で表示したが、これに限定されるものではない。
【０２８３】
例えば、図３６のように単純リスト形式で表示できる。この場合、図３６に示す、３６０１、３６０２、３６０３、３６０４、３６０５が選択されると、上述した図３５ど同じ動作を行うことができる。
【０２８４】
また、図３７、３８のように、イメージ形式で表示できる。この場合、図３７（ａ）、（ｂ）のように受動設定画面を表示した状態で、「ｗｏｒｋ」モードのＯＫ（３７０１）を選択すると、図３７（ｃ）のように現在設定情報を表示する画面は、「ｗｏｒｋ」モードに対応する設定情報に変更されることによって、変更された「Ｌｉｇｈｔｓ」及び「Ｄｅｖｉｃｅ  Ｃｏｎｔｒｏｌ」などの設定情報を表示する図３７（ｄ）のような画面に変更できる。
【０２８５】
また、図３８（ａ）（ｂ）のように受動設定画面を表示した状態で、「ｗｏｒｋ」モードのＯＫ（３８０１）を選択すると、全体ルームの現在設定情報が、「ｗｏｒｋ」モードに対応する設定情報に変更されることによって、変更された「Ｌｉｇｈｔｓ」及び「Ｄｅｖｉｃｅ  Ｃｏｎｔｒｏｌ」などの設定情報を表す画面を図３８（ｃ）のように表示できる。一方、図３８（ｃ）において特定ルーム３８０２が選択されると、選択されたルームの設定情報が、「ｗｏｒｋ」モードに対応する設定情報に変更されることによって、変更された「Ｌｉｇｈｔｓ」及び「Ｄｅｖｉｃｅ  Ｃｏｎｔｒｏｌ」などの設定情報を表す画面を図３８（ｄ）のように表示できる。
【０２８６】
図３９ないし４６は、自動車ドメインにおいてユーザ端末装置に表示されることができるＵＩ画面を示す図である。
【０２８７】
すなわち、ユーザが管理サーバ１００のドメインに接近できる権限情報を利用して管理サーバの管理するドメインに接近すると、図３９（ａ）のように自動車ドメイン内の少なくとも一つのデバイスに設定された現在設定情報を表示するＵＩ画面を表示できる。
【０２８８】
また、送信されたユーザ識別情報に対応する設定情報で自動車ドメイン内の少なくとも一つのデバイスが制御されると、図３９（ｂ）のように少なくとも一つのデバイスに対する制御状態を表す画面を含むことができる。すなわち、「ＴＶ  Ｖｏｌｕｍｅ」、「Ｗｏｏｆｅｒ」及び「Ｃｏｕｒｔｅｓｙ  Ｌｉｇｈｔ」がユーザ識別情報に対応する設定情報に自動的に変更された画面を表示できる。
【０２８９】
また、ユーザが少なくとも一つのデバイスに対する設定情報を手動で設定するために「Ｍｏｏｄ（３９０１）」を選択すると、図３９（ｃ）のように受動設定画面を表示できる。仮に、受動設定画面においてユーザが少なくとも一つのデバイスに対する設定情報を変更すると、少なくとも一つのデバイスは、変更された設定情報が適用されることができる。この場合、ＵＩ画面は、変更された設定情報画面を表示できる。ここで、受動設定画面は、ユーザの趣向を考慮して多様に表示されることができる。一方、図３９（ｃ）のＵＩ画面において「Ｂａｃｋ（３９０２）」が選択されると、前の画面である図３９（ｂ）のＵＩ画面を表示できる。
【０２９０】
図３９を説明するにおいて、ＵＩ画面は、Ａｕｄｉｏ＆Ｖｉｄｅｏ、Ｌｉｇｈｔｓ、Ｔｅｍｐｅｒａｔｕｒｅなどのカテゴリーに分類されてカテゴリーリスト形式で表示されたが、これに限定されるものではない。例えば、図４０にようにカテゴリー分類無しで単純リスト形式で表示されることができる。仮に、図４０のように表示される場合、「Ｍｏｏｄ（４００１）」、「Ｂａｃｋ（４００２）」が選択されると、上述した図３９のような動作を行うことができる。
【０２９１】
また、図４１、４２のようにイメージ形式で表示できる。
【０２９２】
すなわち、図４１、図４２のように自動車のイメージを座席別に表示できる。この場合、図４１（ｃ）のように自動車全体の現在設定情報である「ＴＶ  Ｖｏｌｕｍｅ」、「Ｗｏｏｆｅｒ」を表示するＵＩ画面を表示できる。また、図４１（ｄ）のように「ＴＶ  Ｖｏｌｕｍｅ」、「Ｗｏｏｆｅｒ」がユーザ識別情報に対応する設定情報に自動的に変更された画面を表示できる。また、図４１（ｄ）のＵＩ画面において「Ｍｏｏｄ（４１０１）」が選択されると、図４１（ｅ）のような受動設定画面を表示できる。
【０２９３】
仮に、図４２（ｃ）のＵＩ画面において、一定領域４２０１が選択されると、自動車ドメイン内部の全体デバイスの設定情報をセットするための図４２（ｃ）のような画面を表示できる。また、図４２（ｃ）のＵＩ画面において、各座席が選択されると（４２０１）、図４２（ｄ）のように選択された座席の設定情報を変更するための画面を表示できる。図４３は、少なくとも一つのデバイスに対する設定情報を手動で設定するためのＵＩを示す図である。すなわち、図４３（ｂ）のように「ＴＶ  Ｖｏｌｕｍｅ」、「Ｗｏｏｆｅｒ」などの現在設定情報を表示した状態で、ユーザが「Ｍｏｏｄ（４３０１）」を選択すると、図４３（ａ）のように受動設定画面を表示できる。ここで、ユーザが「Ｆｒｅｓｈ（４３０２）」を選択すると、図４３（ｃ）のように「Ｆｒｅｓｈ」モードに対する設定情報を手動で変更できる画面を表示できる。仮に、図４３（ｃ）においてユーザが「ＯＫ（４３０５）」を選択すると、図４３（ｂ）の画面は、「Ｆｒｅｓｈ」モードに対応する設定情報に変更されることによって、変更された「ＴＶ  Ｖｏｌｕｍｅ」及び「Ｗｏｏｆｅｒ」などの設定情報を表示する図４３（ｄ）のような画面に変更されることができる。
【０２９４】
一方、図４３（ｃ）においてユーザが「Ｍｏｏｄ（４３０３）」を選択すると、図４３（ａ）のような画面を表示できる。この場合、ユーザが図４３（ａ）のような画面において「ＯＫ（４３０４）」を選択すると、図４３（ｂ）の画面は、「Ｆｒｅｓｈ」モードに対応する設定情報に変更されることによって、変更された「ＴＶ  Ｖｏｌｕｍｅ」及び「Ｗｏｏｆｅｒ」などの設定情報を表示する図４３（ｄ）のような画面に変更できる。
【０２９５】
図４３を説明するにおいて、ＵＩ画面は、カテゴリーリスト形式で表示したが、これに限定されるものではない。
【０２９６】
例えば、図４４のように単純リスト形式で表示できる。この場合、図４４に示す、ボタン４４０１、４４０２、４４０３、４４０４、４４０５が選択されると、上述した図４３と同じ動作を行うことができる。
【０２９７】
また、図４５、４６のようにイメージ形式で表示できる。
【０２９８】
この場合、図４５（ａ）、（ｂ）のように受動設定画面を表示した状態で、「Ｅｎｔｅｒｔａｉｎｍｅｎｔ」モードのＯＫ（４５０１）を選択すると、図４５（ｃ）のように現在設定情報を表示する画面は、「Ｅｎｔｅｒｔａｉｎｍｅｎｔ」モードに対応する設定情報に変更されることによって、変更された「ＴＶ  Ｖｏｌｕｍｅ」、「Ｗｏｏｆｅｒ」などの設定情報を表示する図４５（ｄ）のような画面に変更できる。
【０２９９】
また、図４６（ａ）（ｂ）のように受動設定画面を表示した状態で、「ｗｏｒｋ」モードのＯＫ（４６０１）を選択すると、自動車内部の現在設定情報が、「ｗｏｒｋ」モードに対応する設定情報に変更されることによって、変更された「ＴＶ  Ｖｏｌｕｍｅ」、「Ｗｏｏｆｅｒ」などの設定情報を表す画面を図４６（ｃ）のように表示できる。一方、図４６（ｃ）において特定座席（４６０２）が選択されると、選択された座席の設定情報が、「ｗｏｒｋ」モードに対応する設定情報に変更されることによって、変更された「Ｒｅａｒ  Ｓｅａｔ  Ｔｅｍｐ」などの設定情報を表す画面を図４６（ｄ）のように表示できる。
【０３００】
図４７は、少なくとも一つのデバイス種類別に設定情報をセットするためのＵＩ画面を示す図である。すなわち、図４７（ａ）に示すように、「Ａｕｄｉｏ＆Ｖｉｄｅｏ」に関連した設定情報、「Ｌｉｇｈｔｓ」に関連した設定情報、「Ｄｅｖｉｃｅ  Ｃｏｎｔｒｏｌ」設定情報（すなわち、制御するデバイスと関連した設定情報）を含むことができる。この場合ユーザは、「Ｌｉｇｈｔｓ（４７０１）」を選択することによって、図４７（ｂ）のように「Ｌｉｇｈｔｓ」に関連した設定情報の細部事項を表示でき、「Ｄｅｖｉｃｅ  Ｃｏｎｔｒｏｌ（４７０２）」を選択することによって、図４７（ｃ）のように「Ｄｅｖｉｃｅ  Ｃｏｎｔｒｏｌ」に関連した設定情報の細部事項を表示できる。
【０３０１】
図４８は、本発明の一実施形態にかかるゲーム環境設定システムを示す図である。図４８に示すように、ゲーム環境設定システム３０００は、第１ゲーム装置６００−１、第２ゲーム装置６００−２、ユーザ端末装置７００を備える。
【０３０２】
ここで、第１ゲーム装置６００−１、第２ゲーム装置６００−２、ユーザ端末装置７００は、近距離アクセスが行われると、近距離無線通信を行うための近距離無線通信モジュールを備えることができる。また、ここで、近距離アクセスは、ＮＦＣ通信方式を利用した近距離アクセスでありうる。
【０３０３】
以下、説明の便宜のために、第１ゲーム装置６００−１は、送信側ゲーム装置、第２ゲーム装置６００−２は、受信側ゲーム装置と定義して説明する。
【０３０４】
第１ゲーム装置６００−１は、ユーザ端末装置７００との近距離アクセスが行われると、第１ゲーム装置６００−１の識別情報及びゲーム環境情報をユーザ端末装置７００に送信できる。
【０３０５】
ユーザ端末装置７００は、第１ゲーム装置６００−１から第１ゲーム装置６００−１の識別情報及びゲーム環境情報が受信されると、受信された第１ゲーム装置６００−１のゲーム環境情報を第１ゲーム装置６００−１の識別情報にマッチングして格納することができる。
【０３０６】
また、ユーザ端末装置７００は、第２ゲーム装置６００−２との近距離アクセスが行われると、ユーザ端末装置７００に格納された識別情報及びゲーム環境情報を第２ゲーム装置６００−２に送信できる。この場合、第２ゲーム装置６００−２は、ユーザ端末装置７００から受信された識別情報のうち、第２ゲーム装置６００−２の識別情報と同じ識別情報にマッチングされたゲーム環境情報を検出できる。
【０３０７】
また、ユーザ端末装置７００は、第２ゲーム装置６００−２との近距離アクセスが行われると、第２ゲーム装置６００−２から第２ゲーム装置６００−２に対した識別情報を受信することができる。この場合、ユーザ端末装置７００は、格納されたゲーム環境情報のうち、受信された第２ゲーム装置６００−２の識別情報に対応するゲーム環境情報を検出して、第２ゲーム装置６００−２に送信できる。
【０３０８】
一方、第２ゲーム装置６００−２は、ユーザ端末装置７００で検出されて受信されたゲーム環境情報または第２ゲーム装置６００−２から検出されたゲーム環境情報を利用して、第２ゲーム装置６００−２のゲーム環境情報を設定できる。
【０３０９】
ここで、識別情報とは、多様なゲーム装置６００−１、６００−２または多様なゲーム装置６００−１、６００−２で行われるゲームを区別できる情報のことを意味する。具体的に多様なゲーム装置６００−１、６００−２を区別できる情報は、ゲーム装置の種類情報（例えば、ゲーム装置製造者またはゲーム装置タイプを示す情報）、ゲーム装置のシリアルナンバー情報を含むことができる。また、多様なゲーム装置６００−１、６００−２で行われるゲームを区別できる情報は、ゲーム種類情報（ゲームタイトルを示す情報）を含むことができる。
【０３１０】
また、ここで、ゲーム環境情報は、各々のゲームを行うにおいて必要なすべての情報を意味する。例えば、ゲーム環境情報は、ゲーム音量情報、ゲーム解像度情報などのような行われるゲーム外部環境情報及びアバター設定情報、ゲーム上におけるアバターの位置情報、ゲーム上におけるアバターのレベル情報、ゲームの進行状況情報などのようなゲーム内部環境情報を含むことができる。
【０３１１】
図４９は、本発明の一実施形態にかかるゲーム環境設定システムにおいて使用されるユーザ端末装置を示すブロック図である。図４９に示すように、ユーザ端末装置７００は、通信部７１０、格納部７２０、ディスプレイ部７３０、制御部７４０の全てまたは一部を備える。
【０３１２】
通信部７１０は、ユーザ端末装置７００を外部機器と接続する機能を果たす。特に通信部７１０は、第１ゲーム装置６００−１との近距離アクセスが行われると、第１ゲーム装置６００−１の識別情報及びゲーム環境情報を受信することができる。
【０３１３】
また、通信部７１０は、第２ゲーム装置６００−２との近距離アクセスが行われると、第２ゲーム装置６００−２から第２ゲーム装置６００−２の識別情報を受信することができる。この場合、制御部７４０は、格納部７２０に格納されたゲーム環境情報のうち、受信された第２ゲーム装置６００−２の識別情報に対応するゲーム環境情報を検出できる。そして、通信部７１０は、検出されたゲーム環境情報を第２ゲーム装置６００−２に送信できる。この場合、第２ゲーム装置６００−２は、受信されたゲーム環境情報を第２ゲーム装置６００−２のゲーム環境情報として設定できる。
【０３１４】
または、通信部７１０は、第２ゲーム装置６００−２との近距離アクセスが行われると、第２ゲーム装置６００−２に格納部７２０に格納された識別情報及びゲーム環境情報を第２ゲーム装置６００−２に送信できる。この場合、第２ゲーム装置６００−２は、ユーザ端末装置７００から受信された識別情報のうち、第２ゲーム装置６００−２の識別情報と同じ識別情報にマッチングされたゲーム環境情報を検出できる。そして、第２ゲーム装置６００−２は、検出されたゲーム環境情報を第２ゲーム装置６００−２のゲーム環境情報として設定できる。
【０３１５】
ここで、通信部７１０は、ゲーム装置６００−１、６００−２と多様な近距離無線通信方式により情報を受信または送信できる。ここで、近距離無線通信方式は、好ましくは、ＮＦＣ通信方式でありうる。
【０３１６】
一方、通信部７１０は、近距離無線通式方式の他に、近距離通信網（ＬＡＮ：Local Area Network）及びインターネット網を介して無線または有線方式で接続される形態、ＵＳＢ（Universal Serial Bus）ポートを介して接続される形態、３Ｇ、４Ｇのような移動通信網を介して接続される形態で情報を受信または送信できる。
【０３１７】
格納部７２０は、ユーザ端末装置７００の駆動に必要な多様なプログラム及びデータを格納する機能を果たす。特に、格納部７２０は、第１ゲーム装置６００−１から受信された環境情報を第１ゲーム装置６００−１に対した識別情報にマッチングして格納することができる。例えば、格納部７２０は、下記のようにマッチングして格納することができる。
【０３１８】
【表２】
2013218698.tif 000004
【０３１９】
ここで、格納部７２０は、ＲＡＭ（Random Access Memory）、フレッシュメモリ、ＲＯＭ（Read Only Memory）、ＥＰＲＯＭ（Erasable Programmable ROM）、ＥＥＰＲＯＭ（Electronically Erasable and Programmable ROM）、レジスタ、ハードディスク、リムーバブルディスク、メモリカードなどのような内蔵された形態の格納素子はもちろん、ＵＳＢメモリ、ＣＤ−ＲＯＭなどのような着脱可能な形態の格納素子で具現化されることができる。
【０３２０】
ディスプレイ部７３０は、画面を表示する機能を果たす。具体的にディスプレイ部７３０は、第１ゲーム装置６００−１との近距離アクセスが行われると、通信部７１０を介して受信された第１ゲーム装置６００−１の識別情報及びゲーム環境情報を表示できる。
【０３２１】
ここで、近距離アクセスが第１ゲーム装置６００−１でゲームが実行されている状態で行われると、受信されたゲーム環境情報は、第１ゲーム装置６００−１で実行されているゲームに対するゲーム環境情報でありうる。この場合、ディスプレイ部７２０は、第１ゲーム装置６００−１で実行されているゲームに対するゲーム環境情報及び第１ゲーム装置６００−１の識別情報を表示できる。
【０３２２】
また、近距離アクセスが第１ゲーム装置６００−１でゲームが実行されていない状態で行われると、受信されたゲーム環境情報は、第１ゲーム装置６００−１に格納されたすべてのゲーム環境情報または第１ゲーム装置６００−１から提供するＵＩウィンドウを介して第１ゲーム装置６００−１からユーザにより選択されたゲーム環境情報でありうる。この場合、ディスプレイ部７２０は、「格納されたすべてのゲーム環境情報または第１ゲーム装置６００−１から選択されたゲーム環境情報」及び第１ゲーム装置６００−１の識別情報を表示できる。
【０３２３】
一方、第１ゲーム装置６００−１からの受信によって第１ゲーム装置６００−１の識別情報及びゲーム環境情報がディスプレイ部７３０に表示されると、ユーザは、ディスプレイ部７３０に表示されたゲーム環境情報のうち、ユーザ端末装置７００に格納するゲーム環境情報を多様なユーザインタフェースを介して選択できる。
【０３２４】
また、ディスプレイ部７３０は、第２ゲーム装置６００−２との近距離アクセスが行われると、第２ゲーム装置６００−２に送信する格納部７２０に予め格納された識別情報及びゲーム環境情報を表示できる。ここで、表示される識別情報及びゲーム環境情報は、順次表示されることができる。例えば、画面には、識別情報だけが表示されることができ、特定の識別情報が選択されると、識別情報に対応するゲーム環境情報が表示されることができる。
【０３２５】
この場合、ユーザは、ディスプレイ部７３０に表示された識別情報及びゲーム環境情報のうち、第２ゲーム装置６００−２に送信される識別情報及びゲーム環境情報は、多様なユーザインタフェースを介して選択できる。
【０３２６】
一方、第２ゲーム装置６００−２に送信する識別情報及びゲーム環境情報は、第２ゲーム装置６００−２から提供するＵＩを介して第２ゲーム装置６００−２においてユーザにより選択された識別情報及びゲーム環境情報でありうる。この場合、第２ゲーム装置６００−２は、ユーザにより選択された識別情報及びゲーム環境情報を受信するための制御信号を生成して、ユーザ端末装置７００に送信でき、ユーザ端末装置７００は、受信された制御信号に対応する識別情報及びゲーム環境情報を第２ゲーム装置６００−２に送信できる。
【０３２７】
また、ディスプレイ部７３０は、第２ゲーム装置６００−２との近距離アクセスによって、第２ゲーム装置６００−２から第２ゲーム装置６００−２の識別情報が通信部７１０を介して受信される場合、受信された第２ゲーム装置６００−２の識別情報に対応するゲーム環境情報を表示できる。
【０３２８】
この場合、ユーザは、ディスプレイ部７３０に表示されたゲーム環境情報のうち、第２ゲーム装置６００−２に送信するゲーム環境情報を多様なユーザインタフェースを介して選択できる。
【０３２９】
ここで、多様なユーザインタフェースは、ユーザのタッチ操作を感知するタッチセンサ、ユーザの近接モーションを感知する近接センサ、ユーザの音声命令を感知するマイクロフォンなどのような多様なユーザ入力感知装置を介して具現化されることができる。
【０３３０】
一方、ディスプレイ部７３０は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、３次元ディスプレイ（3D display）、透明ディスプレイのうち、少なくとも一つで具現化されることができる。
【０３３１】
制御部７４０は、ユーザ端末装置７００の全般的な動作を制御する。具体的に制御部７４０は、通信部７１０、格納部７２０、ディスプレイ部７３０の全てまたは一部を制御できる。
【０３３２】
特に、制御部７４０は、第１ゲーム装置６００−１との近距離アクセスによって、第１ゲーム装置６００−１の識別情報及びゲーム環境情報が受信されると、受信された第１ゲーム装置６００−１の識別情報及びゲーム環境情報を表示するようにディスプレイ部７３０を制御できる。ここで、受信されたゲーム環境情報は、第１ゲーム装置６００−１でゲームが実行されている状態で近距離アクセスが行われると、実行されているゲームに対するゲーム環境情報でありうる。また、近距離アクセスが第１ゲーム装置６００−１でゲームが実行されていない状態で行われると、受信されたゲーム環境情報は、第１ゲーム装置６００−１に格納されたすべてのゲーム環境情報または第１ゲーム装置６００−１からユーザにより選択されたゲーム環境情報でありうる。
【０３３３】
また、制御部７４０は、表示されたゲーム環境情報のうち、ユーザインタフェースによって選択されたゲーム環境情報を受信された第１ゲーム装置６００−１の識別情報にマッチングして格納するように格納部７２０を制御できる。例えば、制御部７４０は、表２のように格納するように格納部７２０を制御できる。
【０３３４】
また、第２ゲーム装置６００−２との近距離アクセスによって、第２ゲーム装置６００−２から第２ゲーム装置６００−２の識別情報が通信部７１０を介して受信される場合、制御部７４０は、格納部７２０に予め格納されたゲーム環境情報のうち、受信された第２ゲーム装置６００−２の識別情報に対応するゲーム環境情報を検出できる。この場合、制御部７４０は、検出されたゲーム環境情報を直ちに第２ゲーム装置６００−２に送信するように通信部７１０を制御したり、検出されたゲーム環境情報を表示するようにディスプレイ部７３０を制御できる。仮に、ディスプレイ部７３０にゲーム環境情報を表示する場合、制御部７４０は、表示されたゲーム環境情報のうち、ユーザにより選択されたゲーム環境情報を第２ゲーム装置６００−２に送信するように通信部７１０を制御できる。
【０３３５】
以下、説明の便宜のために、第２ゲーム装置から受信された識別情報が、ゲーム装置種類情報として：ゲーム装置１、ゲーム種類情報として：ゲーム１を含む場合を例に挙げて説明する。ここで、ユーザ端末装置７００と第２ゲーム装置６００−２との間に近距離アクセスが行われる時点に第２ゲーム装置６００−２でゲームが行われる場合に受信される識別情報は、ゲーム種類情報を含むことができる。仮に第２ゲーム装置６００−２でゲームが行われない場合、受信される識別情報は、ゲーム種類情報を含まない場合もある。
【０３３６】
第２ゲーム装置から識別情報が受信されると、制御部７４０は、ゲーム装置１及びゲーム１うち、少なくとも一つにマッチングされるゲーム環境情報を検出できる。そして、制御部７４０は、ゲーム装置１及びゲーム１うち、少なくとも一つにマッチングされたゲーム環境情報を直ちに第２ゲーム装置６００−２に送信するように通信部７１０を制御したり、検出されたゲーム環境情報を表示するようにディスプレイ部７３０を制御できる。
【０３３７】
また、制御部７４０は、第２ゲーム装置６００−２との近距離アクセスが行われると、第２ゲーム装置６００−２の格納部７２０に格納されたすべての識別情報及びすべてのゲーム環境情報を直ちに第２ゲーム装置６００−２に送信するように通信部７１０を制御したり、表示するようにディスプレイ部７３０を制御できる。仮にディスプレイ部７３０に識別情報及びゲーム環境情報を表示する場合、ユーザは、表示された識別情報及びゲーム環境情報のうち、第２ゲーム装置６００−２に送信する識別情報及びゲーム環境情報を多様なユーザインタフェースを介して選択できる。この場合、第２ゲーム装置６００−２は、ユーザ端末装置７００から受信された識別情報のうち、第２ゲーム装置６００−２の識別情報と同じ識別情報にマッチングされるゲーム環境情報を検出できる。
【０３３８】
以下、説明の便宜のために、ユーザ端末装置７００から第２ゲーム装置６００−２に送信された識別情報及びゲーム環境情報は前記表２のとおりであることを例に挙げて説明する。
【０３３９】
仮に、第２ゲーム装置６００−２のゲーム装置の種類情報がゲーム装置１で、ユーザ端末装置７００と第２ゲーム装置６００−２との間に近距離アクセスが行われる時点に、第２ゲーム装置６００−２でゲーム１が行われる場合、第２ゲーム装置６００−２は、ゲーム装置１、ゲーム１にマッチングされたゲーム外部情報（ゲーム音量：６０％、解像度：ＨＤ）及びゲーム内部情報１を検出できる。
【０３４０】
仮に、第２ゲーム装置６００−２のゲーム装置の種類情報がゲーム装置１で、ユーザ端末装置７００と第２ゲーム装置６００−２との間に近距離アクセスが行われる時点にゲームが行われない場合、第２ゲーム装置６００−２は、ゲーム装置１にマッチングされたすべてのゲーム外部情報及びゲーム内部情報をゲーム別に分類して検出できる。
【０３４１】
一方、第２ゲーム装置６００−２に送信する識別情報及びゲーム環境情報は、第２ゲーム装置６００−２から提供するＵＩを介して第２ゲーム装置６００−２からユーザにより選択された識別情報及びゲーム環境情報でありうる。この場合、第２ゲーム装置６００−２は、ユーザにより選択された識別情報及びゲーム環境情報を受信するための制御信号を生成して、ユーザ端末装置７００に送信でき、制御部７４０は、受信された制御信号に対応する識別情報及びゲーム環境情報を検出して第２ゲーム装置６００−２に送信できる。
【０３４２】
また、制御部７４０は、ユーザ端末装置７００に格納されたゲーム環境情報のフォーマットを変更できる。すなわち、制御部７４０は、第２ゲーム装置６００−２の識別情報のうち、ゲーム装置種類情報が格納部７２０に格納されたゲーム装置種類情報とは異なるが、ゲーム種類情報が格納されたゲーム種類情報と同じ場合、格納されたゲーム環境情報のフォーマットを第２ゲーム装置６００−２で使用できるフォーマットに変更できる。
【０３４３】
以下、説明の便宜のために、ユーザ端末装置７００に格納された識別情報がゲーム装置種類情報として：ゲーム装置１、ゲーム種類情報として：ゲーム１を含んで、第２ゲーム装置６００−２は、ゲーム装置種類情報がゲーム装置２の場合を例に挙げて説明する。
【０３４４】
この場合、第２ゲーム装置６００−２に適用されるゲーム環境情報は、ゲーム装置種類情報の差によって、ゲーム環境情報のフォーマットが異なりうる。これにより、制御部７４０は、第２ゲーム装置６００−２に適用されうるフォーマットに、ゲーム環境情報を変更できる。
【０３４５】
一方、第２ゲーム装置６００−２は、受信されたゲーム環境情報を利用して第２ゲーム装置６００−２のゲーム環境情報を設定できる。
【０３４６】
ここで、制御部７４０は、ＣＰＵ、制御プログラムの格納されたＲＯＭ、入力データを記憶したり作業関連記憶領域として使用されるＲＡＭを含むことができる。ここで、ＣＰＵ、ＲＯＭ、ＲＡＭは、内部バスを介して互いに接続されることができる。
【０３４７】
図５０ないし図５１は、本発明の一実施形態にかかるゲーム環境情報設定方法を示すタイミング図である。
【０３４８】
図５０に示すように、第１ゲーム装置６００−１は、ユーザ端末装置７００との近距離アクセスが行われると、第１ゲーム装置６００−１の識別情報及びゲーム環境情報をユーザ端末装置７００に送信する（Ｓ５００１）。
【０３４９】
そして、ユーザ端末装置７００は、第１ゲーム装置６００−１から第１ゲーム装置６００−１の識別情報及びゲーム環境情報が受信されると、受信された第１ゲーム装置６００−１のゲーム環境情報を第１ゲーム装置６００−１の識別情報にマッチングして格納する（Ｓ５００２）。
【０３５０】
そして、ユーザ端末装置７００は、第２ゲーム装置６００−２との近距離アクセスが行われると、ユーザ端末装置７００に格納された識別情報及びゲーム環境情報を第２ゲーム装置６００−２に送信する（Ｓ５００３）。ここで、ユーザ端末装置７００は、格納されたすべての識別情報及びゲーム環境情報を第２ゲーム装置６００−２に送信したり、ユーザ端末装置７００から提供するＵＩを介して選択された識別情報及びゲーム環境情報を第２ゲーム装置６００−２に送信したり、または第２ゲーム装置６００−２で提供するＵＩを介して選択された識別情報及びゲーム環境情報を第２ゲーム装置６００−２に送信できる。
【０３５１】
この場合、第２ゲーム装置６００−２は、ユーザ端末装置７００から受信されたゲーム環境情報のうち、第２ゲーム装置６００−２の識別情報にマッピングされたゲーム環境情報を検出する（Ｓ５００４）。
【０３５２】
そして、第２ゲーム装置６００−２は、検出されたゲーム環境情報を第２ゲーム装置６００−２のゲーム環境情報として設定する（Ｓ５００５）。
【０３５３】
ユーザ端末装置７００から受信されたゲーム環境情報または第２ゲーム装置６００−２から検出されたゲーム環境情報を利用して、第２ゲーム装置６００−２のゲーム環境情報を設定できる。
【０３５４】
図５１に示すように、第１ゲーム装置６００−１は、ユーザ端末装置７００との近距離アクセスが行われると、第１ゲーム装置６００−１の識別情報及びゲーム環境情報をユーザ端末装置７００に送信する（Ｓ５１０１）。
【０３５５】
そして、ユーザ端末装置７００は、第１ゲーム装置６００−１から第１ゲーム装置６００−１の識別情報及びゲーム環境情報が受信されると、受信された第１ゲーム装置６００−１のゲーム環境情報を第１ゲーム装置６００−１の識別情報にマッチングして格納する（Ｓ５１０２）。
【０３５６】
そして、ユーザ端末装置７００と第２ゲーム装置６００−２との近距離アクセスが行われると、第２ゲーム装置６００−２は、第２ゲーム装置の識別情報を送信する（Ｓ５１０３）。
【０３５７】
この場合、ユーザ端末装置７００は、第２ゲーム装置６００−２の識別情報にマッチングされるゲーム環境情報を検出する（Ｓ５１０４）。
【０３５８】
そして、ユーザ端末装置７００は、検出されたゲーム環境情報を近距離アクセスを介して第２ゲーム装置６００−２に送信する（Ｓ５１０５）。
【０３５９】
この場合、第２ゲーム装置６００−２は、受信されたゲーム環境情報を第２ゲーム装置６００−２のゲーム環境情報として設定する（Ｓ５１０６）。
【０３６０】
図５２は、本発明の一実施形態にかかる自動車ドメイン管理システム１０４０の動作を示すタイミング図である。
【０３６１】
図５２に示すように、ユーザ端末装置２００は、ロック装置３００−１との近距離アクセスを介して権限情報及びユーザ識別情報をロック装置３００−１に送信する（Ｓ５２０１）。
【０３６２】
この場合、ロック装置３００−１は、ユーザ端末装置２００から受信されたユーザ端末装置２００の権限情報が管理サーバ１００の管理するドメインに接近可能な権限情報であるかどうかを認証する（Ｓ５２０２）。
【０３６３】
管理サーバ１００の管理するドメインに接近可能な権限情報である場合、ロック装置３００−１は、ロックを解除する（Ｓ５２０３）。そして、受信されたユーザ識別情報を管理サーバ１００に送信する（Ｓ５２０４）。
【０３６４】
この場合、管理サーバ１００は、ユーザ識別情報に対応する設定情報を抽出する（Ｓ５２０５）。そして、管理サーバ１００は、抽出された設定情報を利用して少なくとも一つのデバイス３００−２、３００−３、３００−４．．．３００−ｎを制御する制御信号を少なくとも一つのデバイス３００−２、３００−３、３００−４．．．３００−ｎに送信する（Ｓ５２０６）。
【０３６５】
この場合、少なくとも一つのデバイス３００−２、３００−３、３００−４．．．３００−ｎは、設定情報に応じて動作する（Ｓ５２０７）。
【０３６６】
一方、少なくとも一つのデバイス３００−２、３００−３、３００−４．．．３００−ｎは、ユーザの使用に応じて設定情報を更新する（Ｓ５２０８）。そして、少なくとも一つのデバイス３００−２、３００−３、３００−４．．．３００−ｎは、更新された設定情報を管理サーバ１００に送信する（Ｓ５２０９）。
【０３６７】
そして、ユーザ端末装置２００は、ロック装置３００−１との近距離アクセスを介して権限情報及びユーザ識別情報をロック装置３００−１に送信する（Ｓ５２１０）。
【０３６８】
この場合、ロック装置３００−１は、ユーザ端末装置２００から受信されたユーザ端末装置２００の権限情報が管理サーバ１００の管理するドメインに接近可能な権限情報であるかどうかを認証する（Ｓ５２１１）。
【０３６９】
管理サーバ１００の管理するドメインに接近が可能な権限情報である場合、ロック装置３００−１は、ロックを設定する（Ｓ５２１２）。そして、ロック装置３００−１は、管理サーバ１００にロックが設定されていることを知らせる（Ｓ５２１３）。
【０３７０】
この場合、管理サーバ１００は、最後に更新された設定情報をユーザ識別情報にマッピングして格納する（Ｓ５２１４）。
【０３７１】
一方、上述した本発明の多様な実施形態にかかる制御方法は、プログラムコードで具現化されて多様な非一時的読み取り可能媒体（non-transitory computer readable medium）に格納された状態で各サーバまたは機器に提供されることができる。
【０３７２】
非一時的読み取り可能媒体とは、レジスタ、キャッシュ、メモリなどのように短い瞬間の間にデータを格納する媒体でなく半永久的にデータを格納し、機器により読み取り（reading）可能な媒体を意味する。具体的には、上述した多様なアプリケーションまたはプログラムは、ＣＤ、ＤＶＤ、ハードディスク、ブルーレイディスク、ＵＳＢ、メモリーカード、ＲＯＭなどのような非一時的読み取り可能媒体に格納されて提供されることができる。
【０３７３】
以上では、本発明の実施の形態について図示し説明したが、本発明は、上述した特定の実施の形態に限定されるものではなく、請求の範囲で請求する本発明の要旨から逸脱せずに当該発明が属する技術分野における通常の知識を有した者によって多様な変形実施が可能なことはもちろんで、このような変形実施は、本発明の技術的思想や展望から個別的に理解されてはならない。
【図１】
2013218698.tif 000005
【図２】
2013218698.tif 000006
【図３】
2013218698.tif 000007
【図４】
2013218698.tif 000008
【図５】
2013218698.tif 000009
【図６】
2013218698.tif 000010
【図７】
2013218698.tif 000011
【図８】
2013218698.tif 000012
【図９】
2013218698.tif 000013
【図１０】
2013218698.tif 000014
【図１１】
2013218698.tif 000015
【図１２】
2013218698.tif 000016
【図１３】
2013218698.tif 000017
【図１４】
2013218698.tif 000018
【図１５】
2013218698.tif 000019
【図１６】
2013218698.tif 000020
【図１７】
2013218698.tif 000021
【図１８】
2013218698.tif 000022
【図１９】
2013218698.tif 000023
【図２０】
2013218698.tif 000024
【図２１】
2013218698.tif 000025
【図２２】
2013218698.tif 000026
【図２３】
2013218698.tif 000027
【図２４】
2013218698.tif 000028
【図２５】
2013218698.tif 000029
【図２６】
2013218698.tif 000030
【図２７】
2013218698.tif 000031
【図２８】
2013218698.tif 000032
【図２９】
2013218698.tif 000033
【図３０】
2013218698.tif 000034
【図３１】
2013218698.tif 000035
【図３２】
2013218698.tif 000036
【図３３】
2013218698.tif 000037
【図３４】
2013218698.tif 000038
【図３５】
2013218698.tif 000039
【図３６】
2013218698.tif 000040
【図３７】
2013218698.tif 000041
【図３８】
2013218698.tif 000042
【図３９】
2013218698.tif 000043
【図４０】
2013218698.tif 000044
【図４１】
2013218698.tif 000045
【図４２】
2013218698.tif 000046
【図４３】
2013218698.tif 000047
【図４４】
2013218698.tif 000048
【図４５】
2013218698.tif 000049
【図４６】
2013218698.tif 000050
【図４７】
2013218698.tif 000051
【図４８】
2013218698.tif 000052
【図４９】
2013218698.tif 000053
【図５０】
2013218698.tif 000054
【図５１】
2013218698.tif 000055
【図５２】
2013218698.tif 000056
【図５３】
2013218698.tif 000057